(57)【特許請求の範囲】
【請求項１】
所定のデータ通信規格で管理されているＬＡＮを、ＡＴＭ交換機を用いてＡＴＭ専用線で収容し、ＬＡＮ間はＬＡＮ間接続専用ＰＶＣにより接続されている場合に、ネットワーク上の他の装置からの指示を受信する受信手段と、
前記受信した指示を解析する解析手段と、
ＡＴＭ専用線を制御するために必要なデータを保持するためのテーブルと、
前記受信した指示に応じて、ＡＴＭ専用線上のＡＴＭコネクションに対し、設定又は変更依頼が必要かどうかを、前記テーブルを用いて決定する起動管理手段と、
前記設定又は変更依頼の指示を作成するＡＴＭ呼要求手段と、
ＴＣＰ／ＩＰにおけるデータストリーム転送に使用する論理ポート番号をネットワーク上の他の装置へ通知する指示を作成するポート通知手段と、
指示を送信する送信手段と、
を有するＬＡＮ管理装置。
【請求項２】
前記受信した指示が、他の装置による帯域の確保と高いクオリティ・オブ・サービスを要求するアプリケーションの起動要求である場合に、
前記起動管理手段は、
ＡＴＭ専用線上にＳＶＣを設定し、前記アプリケーションの終了の後に、前記設定したＳＶＣを解放する請求項１記載のＬＡＮ管理装置。
【請求項３】
前記受信した指示が、前記他の装置による帯域の確保と高いクオリティ・オブ・サービスを要求するアプリケーションの起動要求である場合に、
前記起動管理手段は、
ＬＡＮ間接続専用のＰＶＣのクオリティ・オブ・サービスが高くなるように変更し、前記アプリケーションの終了の後に、前記変更したクオリティ・オブ・サービスを、前記アプリケーション起動前の状態へ戻す請求項１記載のＬＡＮ管理装置。
【請求項４】
前記起動管理手段は、
遅延、廃棄に強いアプリケーションデータ通信に利用するＬＡＮ間接続専用のＰＶＣと、遅延、廃棄に弱く帯域の確保と高いクオリティ・オブ・サービスを要求するアプリケーションデータ通信に利用するアプリケーション専用のＰＶＣとの２本のＶＣコネクションを初期化時に設定し、
前記受信した指示が、前記他の装置による帯域の確保と高いクオリティ・オブ・サービスを要求するアプリケーションの起動要求である場合に、アプリケーション接続専用のＰＶＣへ変更する請求項１記載のＬＡＮ管理装置。
【請求項５】
所定のデータ通信規格で管理されているＬＡＮを、ＡＴＭ交換機を用いてＡＴＭ専用線で収容し、ＬＡＮ間はＬＡＮ間接続専用ＰＶＣにより接続されている場合に、
前記ＬＡＮに接続され、また、前記データ通信規格で定められたコマンドを送信する送信手段と、
前記送信コマンドに対する応答コマンドを受信する受信手段と、
を含む電子計算機と、
ネットワーク上の他の装置からの指示を受信する受信手段と、
前記受信した指示を解析する解析手段と、
ＡＴＭ専用線を制御するために必要なデータを保持するためのテーブルと、
前記受信した指示に応じて、ＡＴＭ専用線上のＡＴＭコネクションに対し、設定又は変更依頼が必要かどうかを、前記テーブルを用いて決定する起動管理手段と、
前記設定又は変更依頼の指示を作成するＡＴＭ呼要求手段と、
ＴＣＰ／ＩＰにおけるデータストリーム転送に使用する論理ポート番号をネットワーク上の他の装置へ通知する指示を作成するポート通知手段と、
指示を送信する送信手段と、
を含むＬＡＮ管理装置と、
前記ＬＡＮ管理装置から要求されたＡＴＭコネクションの設定依頼または変更依頼をＡＴＭ交換機へ指示する交換機制御手段と、
同じくＬＡＮ管理装置からＬＡＮ側のデータストリーム転送で使用する論理ポート番号が通知された場合に、前記論理ポート番号を収容するＡＴＭコネクションとの対応づけを行い、データベースへ設定するポート設定手段と、
管理下にあるＡＴＭ網およびＡＴＭ交換機の障害状態を監視し、必要に応じてリモート保守を行う監視制御手段と、
を含むＡＴＭ管理装置と、
前記ＡＴＭ管理装置から依頼されるＡＴＭコネクションの設定変更を行うＡＴＭ呼制御手段と、
前記ＡＴＭ管理装置から通知されるＡＴＭコネクションと論理ポート番号の対応づけをルーチング情報としてデータベースに設定するポート設定手段と、
ルーチングに関する処理を行うルーチング手段と
を含むＡＴＭ交換機と
により構成される帯域制御システムであって、
前記電子計算機が、帯域の確保と高いクオリティ・オブ・サービスを要求するアプリケーションを起動する場合に、
前記ＬＡＮ管理装置は、ＡＴＭ専用線上にＳＶＣを設定し、前記アプリケーションの終了の後に、前記設定したＳＶＣを解放する帯域制御システム。
【請求項６】
前記電子計算機が、帯域の確保と高いクオリティ・オブ・サービスを要求するアプリケーションを起動する場合に、
前記ＬＡＮ管理装置は、
ＬＡＮ間接続専用のＰＶＣのクオリティ・オブ・サービスが高くなるように変更し、前記アプリケーションの終了の後に、前記変更したクオリティ・オブ・サービスをアプリケーション起動前の状態へ戻す請求項５記載の帯域制御システム。
【請求項７】
前記ＬＡＮ管理装置が、
遅延、廃棄に強いアプリケーションデータ通信に利用するＬＡＮ間接続専用のＰＶＣと、遅延、廃棄に弱く帯域の確保と高いクオリティ・オブ・サービスを要求するアプリケーションデータ通信に利用するアプリケーション専用のＰＶＣとの２本のＶＣコネクションを初期化時に設定し、
前記電子計算機が、帯域の確保と高いクオリティ・オブ・サービスを要求するアプリケーションを起動する場合は、
前記ＬＡＮ管理装置が、
アプリケーション接続専用のＰＶＣの利用を指示する請求項５記載の帯域制御システム。
【請求項８】
前記電子計算機は、
前記データ通信規格で定められたコマンドに対し、帯域の確保と高いクオリティ・オブ・サービスとを要求するアプリケーションを起動する場合に、前記アプリケーションに関する付加情報を付与する情報付加手段を含み、
前記送信手段は、前記付加情報を付与されたコマンドを送信する請求項５ないし７のいずれか記載の帯域制御システム。
【請求項９】
前記ＬＡＮ管理装置は、
前記電子計算機から帯域を予約する要求が入力された場合に、予約ＩＤを付与する予約ＩＤ付与手段を具備する請求項５ないし８のいずれか記載の帯域制御システム。
【請求項１０】
前記電子計算機は、
前記ＬＡＮ管理装置で付与された予約ＩＤと帯域が必要となる時刻を対応づけ、監視するタイマ監視手段を具備する請求項５ないし９のいずれか記載の帯域制御システム。
【請求項１１】
前記ＡＴＭ管理装置は、
前記電子計算機から帯域を予約する要求があったことを、前記ＬＡＮ管理装置から通知された場合に、予約が必要となる時刻のＡＴＭ専用線上の帯域使用状況をすべてデータベースに保持し、予約できるかどうか判断し、その要求応答として起動が予約されている時間帯の帯域使用状況を、前記ＬＡＮ管理装置へすべて通知する監視制御手段を具備する請求項５ないし１０のいずれか記載の帯域制御システム。
【請求項１２】
ＬＡＮを管理するデータ通信規格、コマンドを定めるデータ通信規格、および端末機能を定義するデータ通信規格は、いずれもＨ．３２３である請求項５ないし１１のいずれか記載の帯域制御システム。
【発明の詳細な説明】
【発明の属する技術分野】
【０００１】
本発明は、Ｈ．３２３で管理されているＬＡＮの間をＡＴＭ専用線で接続した場合の帯域制御方式に関するものである。
【０００２】
【従来の技術】
近年、インターネットが普及し、世界各国のトラヒックが増大したために、通信途中の伝送遅れ、データ廃棄などが発生しており、ＱｏＳ（Quality of Service （クオリティ・オブ・サービス）：通信におけるサービス品質全般を指す）を保つ帯域制御が注目されている。また、音声系およびデータ系ネットワークをＩＰで統合し、通信費が低価格なネットワークをユーザへ提供する通信業者が出現していることから、今後さらにインターネットは普及し、ＱｏＳに対する期待も高まるであろう。
【０００３】
これを背景に、企業間などのＬＡＮ間通信においても、電子計算機の普及、イントラネットの普及、各種業務の電子化が進み、従来よりトラヒックが増加し、ＱｏＳが確保された通信が望まれると予想される。
【０００４】
図３３は、ＴＣＰ／ＩＰで構築されたＬＡＮの間をＡＴＭ専用線で接続した場合の従来のシステム構成である。従来、ＬＡＮ間で発生する全てのデータ通信は、トラヒッククラスがＡＢＲサービスまたはＵＢＲサービスのＬＡＮ間接続専用のＰＶＣで収容していた。
【０００５】
【発明が解決しようとする課題】
しかしながら、このＰＶＣのトラヒッククラスは、ＣＢＲサービスのように伝送帯域を完全に保証するのではなく、ＡＴＭ専用線に空きがあった場合にのみ保証するサービスであり、ＡＴＭ専用線上で輻輳が発生した場合には、その影響でデータ廃棄、伝送遅延が発生してしまう。そのため、音声データ通信およびテレビ会議のようなデータ廃棄や伝送遅延に弱くＱｏＳを追求する通信系アプリケーションには不向きであった。
【０００６】
この帯域制御システムには、現在ネットワークのトラヒックが増加傾向にあり、将来、網内で輻輳が発生する可能性が高くなることを踏まえ、データ廃棄および伝送遅延に弱いアプリケーションデータ通信において帯域を優先的に確保することが要求されている。
【０００７】
本発明は、上記従来の問題点に鑑みてなされたもので、Ｈ．３２３などのデータ通信規格で管理されているＬＡＮとＬＡＮの間のデータ通信において、データ廃棄および伝送遅延に弱いアプリケーションに対し、優先的に帯域を確保しＱｏＳを高める機能を提供することを目的とする。
【０００８】
【課題を解決するための手段】
この課題を解決するために本発明は、第１に、所定のデータ通信規格で管理されているＬＡＮを、ＡＴＭ交換機を用いてＡＴＭ専用線で収容し、ＬＡＮ間はＬＡＮ間接続専用ＰＶＣにより接続されている場合に、ネットワーク上の他の装置からの指示を受信する受信手段と、前記受信した指示を解析する解析手段と、ＡＴＭ専用線を制御するために必要なデータを保持するためのテーブルと、前記受信した指示に応じて、ＡＴＭ専用線上のＡＴＭコネクションに対し、設定又は変更依頼が必要かどうかを、前記テーブルを用いて決定する起動管理手段と、前記設定又は変更依頼の指示を作成するＡＴＭ呼要求手段と、ＴＣＰ／ＩＰにおけるデータストリーム転送に使用する論理ポート番号をネットワーク上の他の装置へ通知する指示を作成するポート通知手段と、指示を送信する送信手段と、を有するＬＡＮ管理装置である。
【０００９】
これにより、Ｈ．３２３などのデータ通信規格で管理されているＬＡＮとＬＡＮの間のデータ通信において、データ廃棄および伝送遅延に弱いアプリケーションに対し、優先的に帯域を確保しＱｏＳを高めることが可能となる。
【００１０】
また、第２に、前記受信した指示が、他の装置による帯域の確保と高いクオリティ・オブ・サービスを要求するアプリケーションの起動要求である場合に、前記起動管理手段は、ＡＴＭ専用線上にＳＶＣを設定し、前記アプリケーションの終了の後に、前記設定したＳＶＣを解放するものである。
【００１１】
これにより、帯域の確保と高いＱｏＳを要求するアプリケーションのデータを高いトラヒッククラスが割り当てられたＳＶＣを用いて伝送することになり、ＱｏＳの高い帯域保証をすることが可能となる。
【００１２】
また、第３に、前記受信した指示が、前記他の装置による帯域の確保と高いクオリティ・オブ・サービスを要求するアプリケーションの起動要求である場合に、前記起動管理手段は、ＬＡＮ間接続専用のＰＶＣのクオリティ・オブ・サービスが高くなるように変更し、前記アプリケーションの終了の後に、前記変更したクオリティ・オブ・サービスを、前記アプリケーション起動前の状態へ戻すものである。
【００１３】
これにより、帯域の確保と高いＱｏＳを要求するアプリケーションに対し、ＱｏＳの高い帯域保証をすることが可能となる。
【００１４】
また、第４に、前記起動管理手段は、遅延、廃棄に強いアプリケーションデータ通信に利用するＬＡＮ間接続専用のＰＶＣと、遅延、廃棄に弱く帯域の確保と高いクオリティ・オブ・サービスを要求するアプリケーションデータ通信に利用するアプリケーション専用のＰＶＣとの２本のＶＣコネクションを初期化時に設定し、前記受信した指示が、前記他の装置による帯域の確保と高いクオリティ・オブ・サービスを要求するアプリケーションの起動要求である場合に、アプリケーション接続専用のＰＶＣへ変更するものである。
【００１５】
これにより、帯域の確保と高いＱｏＳを要求するアプリケーションに対し、ＱｏＳの高い帯域保証をすることが可能となる。
【００１６】
また本発明は、第５に、所定のデータ通信規格で管理されているＬＡＮを、ＡＴＭ交換機を用いてＡＴＭ専用線で収容し、ＬＡＮ間はＬＡＮ間接続専用ＰＶＣにより接続されている場合に、前記ＬＡＮに接続され、また、前記データ通信規格で定められたコマンドを送信する送信手段と、前記送信コマンドに対する応答コマンドを受信する受信手段と、を含む電子計算機と、ネットワーク上の他の装置からの指示を受信する受信手段と、前記受信した指示を解析する解析手段と、ＡＴＭ専用線を制御するために必要なデータを保持するためのテーブルと、前記受信した指示に応じて、ＡＴＭ専用線上のＡＴＭコネクションに対し、設定又は変更依頼が必要かどうかを、前記テーブルを用いて決定する起動管理手段と、前記設定又は変更依頼の指示を作成するＡＴＭ呼要求手段と、ＴＣＰ／ＩＰにおけるデータストリーム転送に使用する論理ポート番号をネットワーク上の他の装置へ通知する指示を作成するポート通知手段と、指示を送信する送信手段と、を含むＬＡＮ管理装置と、前記ＬＡＮ管理装置から要求されたＡＴＭコネクションの設定依頼または変更依頼をＡＴＭ交換機へ指示する交換機制御手段と、同じくＬＡＮ管理装置からＬＡＮ側のデータストリーム転送で使用する論理ポート番号が通知された場合に、前記論理ポート番号を収容するＡＴＭコネクションとの対応づけを行い、データベースへ設定するポート設定手段と、管理下にあるＡＴＭ網およびＡＴＭ交換機の障害状態を監視し、必要に応じてリモート保守を行う監視制御手段と、を含むＡＴＭ管理装置と、前記ＡＴＭ管理装置から依頼されるＡＴＭコネクションの設定変更を行うＡＴＭ呼制御手段と、前記ＡＴＭ管理装置から通知されるＡＴＭコネクションと論理ポート番号の対応づけをルーチング情報としてデータベースに設定するポート設定手段と、ルーチングに関する処理を行うルーチング手段と、を含むＡＴＭ交換機とにより構成される帯域制御システムであって、前記電子計算機が、帯域の確保と高いクオリティ・オブ・サービスを要求するアプリケーションを起動する場合に、前記ＬＡＮ管理装置は、ＡＴＭ専用線上にＳＶＣを設定し、前記アプリケーションの終了の後に、前記設定したＳＶＣを解放する帯域制御システムである。
【００１７】
これにより、Ｈ．３２３などのデータ通信規格で管理されているＬＡＮとＬＡＮの間のデータ通信において、データ廃棄および伝送遅延に弱いアプリケーションに対し、優先的に帯域を確保しＱｏＳを高めることが可能となる。
【００１８】
また、第６に、前記電子計算機が、帯域の確保と高いクオリティ・オブ・サービスを要求するアプリケーションを起動する場合に、前記ＬＡＮ管理装置は、ＬＡＮ間接続専用のＰＶＣのクオリティ・オブ・サービスが高くなるように変更し、前記アプリケーションの終了の後に、前記変更したクオリティ・オブ・サービスをアプリケーション起動前の状態へ戻すものである。
【００１９】
これにより、帯域の確保と高いＱｏＳを要求するアプリケーションに対し、ＱｏＳの高い帯域保証をすることが可能となる。
【００２０】
また、第７に、前記ＬＡＮ管理装置が、遅延、廃棄に強いアプリケーションデータ通信に利用するＬＡＮ間接続専用のＰＶＣと、遅延、廃棄に弱く帯域の確保と高いクオリティ・オブ・サービスを要求するアプリケーションデータ通信に利用するアプリケーション専用のＰＶＣとの２本のＶＣコネクションを初期化時に設定し、前記電子計算機が、帯域の確保と高いクオリティ・オブ・サービスを要求するアプリケーションを起動する場合は、前記ＬＡＮ管理装置が、アプリケーション接続専用のＰＶＣの利用を指示するものである。
【００２１】
これにより、帯域の確保と高いＱｏＳを要求するアプリケーションに対し、ＱｏＳの高い帯域保証をすることが可能となる。
【００２２】
また、第８に、前記電子計算機は、前記データ通信規格で定められたコマンドに対し、帯域の確保と高いクオリティ・オブ・サービスとを要求するアプリケーションを起動する場合に、前記アプリケーションに関する付加情報を付与する情報付加手段を含み、前記送信手段は、前記付加情報を付与されたコマンドを送信するものである。これにより、帯域の確保と高いＱｏＳを要求するアプリケーションに対し、ＱｏＳの高い帯域保証をすることが可能になる。
【００２３】
また、第９に、前記ＬＡＮ管理装置は、前記電子計算機から帯域を予約する要求が入力された場合に、予約ＩＤを付与する予約ＩＤ付与手段を具備するものである。これにより、電子計算機が予約したアプリケーションの起動を要求する場合に、予約時に付与された予約ＩＤをＬＡＮ管理装置へ通知することで、事前に予約したアプリケーションと起動要求しているアプリケーションのマッチングをとることが可能になる。
【００２４】
また、第１０に、前記電子計算機は、前記ＬＡＮ管理装置で付与された予約ＩＤと帯域が必要となる時刻を対応づけ、監視するタイマ監視手段を具備するものである。これにより、ユーザは、予約ＩＤと帯域が必要となる時刻を対応づけることが可能になる。
【００２５】
また、第１１に、前記ＡＴＭ管理装置は、前記電子計算機から帯域を予約する要求があったことを、前記ＬＡＮ管理装置から通知された場合に、予約が必要となる時刻のＡＴＭ専用線上の帯域使用状況をすべてデータベースに保持し、予約できるかどうか判断し、その要求応答として起動が予約されている時間帯の帯域使用状況を、前記ＬＡＮ管理装置へすべて通知する監視制御手段を具備するものである。
【００２６】
これにより、ユーザは、電子計算機に返された応答から起動予約時刻の帯域状況がわかるようになり、その結果から判断して、自由に帯域の確保できる時刻に予約を変更することが可能になる。
【００２７】
【発明の実施の形態】
以下、本発明の実施の形態について、図１から図３２を用いて説明する。
（実施の形態１）
図１は本発明の各実施形態において用いられる帯域制御システムのブロック構成図である。この帯域制御システムは、ＴＣＰ／ＩＰで構築され、データ通信規格の一例として、ＩＴＵ−Ｔ  Ｈ．３２３に基づき管理される二つのＬＡＮの間をＡＴＭメガリンクサービスまたはそれと類似するＶＰ契約のＡＴＭ専用線サービスで接続した帯域制御システムの構成図の一例であり、各種装置間の相互の管理関係、障害などの装置状態収集および諸設定は初期立ち上げ時に登録され正常に運用動作を開始していること、また、各装置間コマンドに含まれる情報の並びは、装置間であらかじめ定義されていることを前提とする。
【００２８】
図１において、０１０００と０１０１０はアプリケーションを実行する端末機能を担うデータ処理装置としての電子計算機、０１００１および０１０１１はアナログまたはデジタル信号の構内電話機、０１００２は電話機０１００１を収容するＰＢＸ、０１０１２はそれと同様に電話機０１０１１を収容するＰＢＸ、０１００３は、ＩＴＵ−Ｔ  Ｈ．３２３に基づき電子計算機０１０００、電話機０１００１、ＰＢＸ０１００２に対し、帯域制御、アドレス解決、認証、呼制御、端末制御を管理するＬＡＮ管理装置、０１０１３は、Ｈ．３２３に基づき電子計算機０１０１０、電話機０１０１１、ＰＢＸ０１０１２に対し、帯域制御、アドレス解決、認証、呼制御、端末制御を管理するＬＡＮ管理装置、０１００４と０１０１４は呼制御を行いＡＴＭコネクションを確立し、ＬＡＮからのデータを入力しＡＴＭセルに変換しルーチング、また、その逆変換をするＡＴＭ交換機、である。また、０１００５はＡＴＭ交換機０１００４および０１０１４、ＡＴＭ網をリモートで保守／監視制御を行うＡＴＭ管理装置、０１００６は、０１０００から０１００５で構成されるＬＡＮ、０１０１５は、０１０１０から０１０１４で構成されるＬＡＮ、０１００７はＬＡＮ０１００６と０１０１５を収容するＡＴＭ専用線、０１００８は、ＬＡＮ０１００６と０１０１５間を接続することを担うＰＶＣであり、帯域があまり保証されていないトラフィッククラスを持ち、帯域制御システムの初期立ち上がり時に設定され、伝送遅延やデータ廃棄に強いデータおよび制御信号を収容するＬＡＮ間接続ＰＶＣ、０１００９は、ＬＡＮ０１００６と０１０１５間を接続するＳＶＣであり、ある程度帯域保証ができるトラヒッククラスを持ち、伝送遅延やデータ廃棄に弱いデータ通信を必要とするアプリケーションごとにＡＴＭ専用線０１００７内に複数存在するアプリケーション接続用のＳＶＣ（以下、ＡＰＬ接続ＳＶＣ）である。
【００２９】
図２は、Ｈ．３２３に準じた終点端末相当の機能を有する電子計算機０１０００および０１０１０の機能ブロック図の一例であり、図２において、０２０００はキーボード、マウスといった電子計算機の外部入力装置から入力を受け付ける入力手段、０２００１は、ネットワーク上の装置からＨ．３２３に基づいたコマンドおよびデータを受け付ける受信手段、０２００２は、電子計算機内の状態を管理しており、入力手段０２０００または受信手段０２００１からの入力を解析し、その結果、次に何の処理を実行すればよいか判断する解析手段、０２００３は、入力手段０２０００または受信手段０２００１により入力された操作内容が実行可能であるかＬＡＮ管理装置へ判断を仰ぐために、Ｈ．２２５をベースにした処理とそのコマンドを生成する起動手段、０２００４は、Ｑ．９３１をベースとした処理とコマンドを生成する呼制御手段、０２００５は、起動手段０２００３、呼制御手段０２００４により実行され、Ｈ．２２５コマンドとして定義されたものに対し、付加情報を付加する機能を持った情報付加手段、０２００６は、Ｈ．２４５をベースとした端末能力交換を担い、論理チャネル開設に伴うコマンドを生成し、さらに、そのコマンドの応答を処理する端末制御手段、０２００７は、起動手段０２００３、呼制御手段０２００４、端末制御手段０２００６で生成されたコマンドを他装置へ送信する送信手段、０２００８は、Ｈ．３２３に基づき管理しているＬＡＮ管理装置アドレス、自端末情報、通信している対向電子計算機の端末能力などの情報を保持するＤＢである。
【００３０】
図３は、起動手段０２００３、情報付加手段０２００５で作成されるコマンドのフォーマットであり、０３０００はＨ．３２３で定義されたＨ．２２５のＲＡＳメッセージエリア、また、それに続く拡張エリア０３００１により構成されている。
【００３１】
図４は、呼制御手段０２００４、情報付加手段０２００５で作成されるコマンドのフォーマットであり、０４０００は、Ｈ．３２３で定義されたＱ．９３１メッセージエリア、また、それに続く拡張エリア０４００１により構成されている。
【００３２】
図５は、ＬＡＮ管理装置０１００３、０１０１３の機能ブロック図の一例であり、Ｈ．３２３のゲートキーパー相当の機能を有しており、図５において、０５０００は、ネットワーク上の装置からコマンドおよびデータを受け付ける受信手段、０５００１は、ＬＡＮ管理装置０１００３、０１０１３の状態を管理しており、受信手段０５０００で受信した入力コマンドを解析し、その結果、何の処理を実行すればよいか判断する解析手段、０５００２は、電子計算機０１０００または０１０１０から起動要求されたアプリケーションのＡＴＭ帯域情報、アプリケーション用の識別子を獲得する起動管理手段、０５００３は、ＡＴＭ管理装置０１００５に対しＡＴＭ呼制御を要求し、また、それに対応する応答コマンドを処理し、ＡＴＭ管理装置０１００５からＡＴＭ専用線０１００７およびＡＴＭ交換機０１００４、０１０１４の障害状態が通知された場合には、ＡＰＬ接続用ＳＶＣ０１００９によりなるべく影響がないように、ＡＴＭ管理装置０１００５にＡＴＭ専用線０１００７上の他のＡＴＭコネクションの帯域変更要求を通知するコマンドを作成し、その応答を処理するＡＴＭ呼要求手段、０５００４は、Ｑ．９３１をベースとした処理を行なう呼制御管理手段、０５００５は、Ｈ．２４５をベースとした端末能力交換処理を行なう端末制御管理手段、０５００６は、端末制御管理手段０５００５により実行され、ＡＴＭ管理装置０１００５に対し、端末制御管理手段０５００５の結果として得られるデータストリーム伝送用の論理ポートを通知するポート通知手段、０５００７は、起動手段０５００２、ＡＴＭ呼要求手段０５００３、呼制御管理手段０５００４、端末制御管理手段０５００５、ポート通知手段０５００６で生成されたコマンドを他の装置へ送信する送信手段、０５００８は、Ｈ．３２３に基づき管理しているＬＡＮ内の装置情報およびそれに付随する情報を保持するＤＢである。
【００３３】
図６は、ＡＴＭ管理装置０１００５の機能ブロック図の一例であり、図６において、０６０００は、自装置以外からコマンドを受け付ける受信手段、０６００１は、受信手段０６０００で受信した入力コマンドを解析し、そのコマンドから次に実行すべき処理を判断する解析手段、０６００２は、ＡＴＭ専用線０１００７の残余帯域を調査し、残余帯域がある場合にはＡＴＭ交換機０１００４または０１０１４宛にＳＶＣ設定要求コマンドを生成し、そのコマンドの応答結果を処理する交換機制御手段、０６００３は、ＡＴＭ交換機０１００４または０１０１４、ＡＴＭ専用線０１００７の状態を管理し、必要があれば保守制御を行う監視制御手段、０６００４は、Ｈ．２４５端末能力交換処理の結果として獲得される論理ポートとＡＰＬ接続ＳＶＣの対応をＡＴＭ交換機０１００４または０１０１４へ通知するコマンドを生成し、そのコマンドの応答結果を処理するポート設定手段、０６００５は、ポート設定手段０６００４、監視制御手段０６００３、交換制御手段０６００２が生成したコマンドをネットワーク上の装置へ送信する送信手段、０６００６は、ＡＴＭ交換機０１００４または０１０１４、ＡＴＭ専用線０１００７上のＡＴＭコネクションの各種状態および情報を管理するＤＢである。
【００３４】
図７は、ＡＴＭ交換機０１００４または０１０１４の機能ブロック図の一例であり、図７において、０７０００は、ネットワーク上の装置から送信されたコマンドを受け付ける受信手段、０７００１は、受信手段０７０００で受信したコマンドを解析し、次に実行する処理を判断する解析手段、０７００２は、ＡＴＭ専用線０１００７上の自装置内に収容されているＡＴＭコネクション、自装置内の各種状態を収集する状態収集手段、０７００３は、ＡＴＭコネクションに対して呼制御を行うＡＴＭ呼制御手段、０７００４はＡＴＭ管理装置０１００５から通知されるＴＣＰ／ＩＰの論理ポート番号をルーチング情報としてＤＢ０７００７に設置する論理ポート設定手段、０７００５はルーチング処理を行なうルーチング手段、０７００６は、状態収集手段０７００２、ポート設定手段０７００４、ＡＴＭ呼制御手段０７００３の処理結果をネットワーク上の装置へ送信する送信手段、０７００７はＡＴＭ交換機のルーチング情報、および自装置内の各種状態を管理するＤＢである。
【００３５】
図８は、電子計算機０１０００または０１０１０のＤＢ０２００８で保持する多々あるテーブルのうち、入力手段０２０００を使ってキーボード、マウスといた外部入力装置から受信したアプリケーションの起動要求にマッチするアプリケーションＩＤに変換するテーブルである。アプリケーションＩＤは帯域制御システムで初期立ち上がり時に一意になるよう登録されている。０８０００は、起動要求に含まれるアプリケーション信号種別であり、０８００１はそれに対応するアプリケーションＩＤ、０８００２はＬＡＮ管理装置０１００３または０１０１３へ通知するかどうかを示す通知有無である。
【００３６】
図９は、ＬＡＮ管理装置０１００３、０１０１３のＤＢ０５００８で保持する多々あるテーブルのうち、初期立ち上がり時から決められているテーブルであり、アプリケーションのＡＴＭ帯域情報、ＡＰＬ接続ＳＶＣが必要かどうかの関係を示すテーブルの一例である。０９０００はアプリケーションＩＤであり、０９００１はアプリケーションごとに決められているＡＴＭ帯域情報であり、０９００２はＳＶＣ設定の必要性を表すＡＰＬ接続ＳＶＣ設定有無である。
【００３７】
図１０は、ＡＴＭ管理装置０１００５のＤＢ０６００６で保持するＡＴＭ交換機０１００４、０１０１４に関する多々あるテーブルのうち、（ａ）は障害情報を保持するテーブル、（ｂ）はＡＴＭ専用線０１００７上の帯域状態を示すテーブル、（ｃ）はＡＴＭ専用線０１００７上のＶＰＩ、ＶＣＩで特定されるＶＣコネクションの空きを示すテーブル、（ｄ）はルーチング情報テーブルである。図１０（ａ）において、１００００は、管理する交換機の種別、１０００１はその交換機の障害の有無、１０００２は障害詳細を示す。図１０（ｂ）において、１０００３は管理下にあるＶＰサービス種別、１０００４は契約帯域、１０００５は残余帯域、１０００６は使用帯域を示す。図１０（ｃ）において、１０００７はＡＴＭ専用線０１００７で収容可能なＶＣコネクション情報、１０００８はそのＶＣコネクションが使用されているかどうかを示す。図１０（ｄ）において、１０００９はＶＣコネクション（ＶＰＩ値、ＶＣＩ値）、１００１０は対向のＶＣコネクション（ＶＰＩ値、ＶＣＩ値）、１００１１はＡＴＭ帯域情報、１００１２はＶＣコネクションの障害が発生しているかどうか、１００１３は１０００９に対応するＴＣＰ／ＩＰコネクションの論理ポート番号、１００１４はアプリケーションＩＤである。
【００３８】
図１１は、帯域制御システム内のＬＡＮ管理装置０１００３、０１０１３、ＡＴＭ管理装置０１０１５、ＡＴＭ交換機０１００４、０１０１４の間で使用されるコマンドフォーマットであり、１１０００は要求種別を示し、１１００１は付加情報を示す。
【００３９】
図１２は、ＡＴＭ交換機０１００４、０１０１４のＤＢ０７００７で保持する多々あるテーブルのうち、ＴＣＰ／ＩＰにおけるコネクションとＡＴＭにおけるＶＣコネクションの対応を示すルーチング情報テーブルであり、１２０００はＶＣコネクション（ＶＰＩ値、ＶＣＩ値）、１２００１は対向のＶＣコネクション（ＶＰＩ値、ＶＣＩ値）、１２００２はＡＴＭ帯域情報、１２００３はＶＣ障害の有無、１２００４は１２０００に対応する論理ポート番号、１２００５はアプリケーションＩＤである。
【００４０】
図１３は、帯域制御システムでテレビ会議などのアプリケーションを実行する場合の正常系シーケンス図であり、以下に図１から図１２を用いてその動作を説明する。
【００４１】
まず、手順Ａについて説明する。電子計算機０１０００は、入力手段０２０００から入力された信号を解析手段０２００２を用いて解析し、テレビ会議の起動を要求する起動（０）信号であることを認識すると、起動手段０２００３を用いて、ＤＢ０２００８内に保持したテーブル（図８）を用いて、ＬＡＮ管理装置へ通知するかどうかチェックし、通知すべきアプリケーションでない場合には、起動（０）で要求されたアプリケーションを起動し、通知すべきアプリケーションの場合にはアプリケーションＩＤを獲得し、さらに、情報付加手段０２００５を実行する。そして、情報付加手段０２００５により、図３に示すコマンドフォーマットのＲＡＳメッセージエリア０３０００にＡＲＱ内容を設定し、拡張エリア０３００１に獲得した「アプリケーションＩＤ」を設定し、送信手段０２００７を用いて起動要求（１）としてＬＡＮ管理装置０１００３宛に送信する。
【００４２】
ＬＡＮ管理装置０１００３は、そのコマンドを受信手段０５０００で受信し、解析手段０５００１により起動要求（１）であることを認識し、起動管理手段０５００２を実行する。起動管理手段０５００２は、ＤＢ０５００８に格納されている情報を用いてＨ．２２５で定義されている認証、アドレス解決などのチェックを行ない、成功の場合には図９のテーブルを用いて、受信コマンド内のアプリケーションＩＤをキーにしてＡＴＭ帯域情報０９００１、ＡＰＬ接続ＳＶＣ設定有無０９００２を求める。ＡＰＬ接続用ＳＶＣ設定有無０９００２が使用の場合には、図１１に示すフォーマットに従い、要求種別１１０００へＳＶＣ設定要求、付加情報１１００１へ図９で求めたＡＴＭ帯域情報０９００１を設定しＳＶＣ設定要求を作成し、送信手段０５００７を用いてＡＴＭ管理装置０１００５宛に送信する。
【００４３】
ＡＴＭ管理装置０１００５は、そのコマンドを受信手段０６０００で受信し、解析手段０６００１によりＳＶＣ設定要求（２）であることを解析し、交換制御手段０６００２を用い、ＤＢ０６００６に格納されているＡＴＭ交換機０１００４とテレビ会議を実行する対向ＬＡＮ０１０１５を収容するＡＴＭ交換機０１０１４の状態を図１０の（ａ）、（ｂ）、（ｃ）で、障害の有無１０００１が「なし」、ＡＴＭ専用線の残余帯域１０００５が「０」でないことを確認し、使用有無１０００８がＶＰＩ値、ＶＣ値のＶＣコネクション情報を獲得する。そして、ＬＡＮ管理装置０１００３から受信したＳＶＣ設定要求（２）の付加情報１１００１にさらに、獲得した未使用のＶＰＩ値、ＶＣＩ値を設定したＳＶＣ設定要求（３）を作成しＡＴＭ交換機０１００４宛に送信手段０６００５を用いて送信する。ＡＴＭ交換機０１００４は、そのコマンドを受信手段０７０００で受信し、解析手段０７００１によりＳＶＣ設定要求（３）であることを解析し、ＡＴＭ呼制御手段０７００３でＵＮＩ／ＮＮＩ用のシグナリングコマンドを作成し、送信手段０７００６を用いてＡＴＭ交換機０１０１４とシグナリングを行う。
【００４４】
その結果が成功したならば、ＡＴＭ呼制御手段０７００３は、ＳＶＣ設定要求（３）のＶＣコネクション情報（ＶＰＩ値、ＶＣＩ値）、ＡＴＭ帯域情報を図１２に示したＤＢ０７００７のコネクション情報（ＶＰＩ値、ＶＣＩ値）、ＶＰＩ／ＶＣＩ１２０００、ＡＴＭ帯域情報１２００２へ格納し、シグナリング手順で決定した対向側のＶＰＩ値、ＶＣＩ値を対向コネクション情報１２００１に格納し、さらにルーチング手段０７００５でルーチング用の設定を行ない、ＳＶＣ設定要求（３）の要求種別１１０００をＳＶＣ設定応答（成功）に変更し、付加情報１１００１へは対向ＶＰＩ値、ＶＣＩ値を追加しＳＶＣ設定応答  （４）を作成し、送信手段０７００６を用いてＡＴＭ管理装置０１００５宛へ送信する。
【００４５】
ＡＴＭ管理装置０１００５は、その応答コマンドを受信手段０６０００で受信し、解析手段０６００１によりＳＶＣ設定応答（４）であることを解析し、交換制御手段０６００２を用いて、ＳＶＣ設定応答（４）内の各情報を図１０（ｄ）に示すＤＢ０６００６の１０００９〜１００１４へ設定する。また、図１０    （ｃ）で該当のＶＰＩ値、ＶＣＩ値の使用有無１０００８を使用に変更し、ＳＶＣ設定応答（４）の付加情報１１００１から対向ＶＰＩ値、ＶＣＩ値だけを削除しＳＶＣ設定応答（５）として送信手段０６００５を用いて、ＬＡＮ管理装置０１００３宛に送信する。
【００４６】
ＬＡＮ管理装置０１００３は、その応答コマンドを受信手段０５０００で受信し、解析手段０５００１によりＳＶＣ設定応答（５）であることを解析し、ＡＴＭ呼要求手段０５００３を用いて、図３のフォーマットに従い、ＲＡＳのＡＣＦ相当をＲＡＳメッセージエリア０３０００に設定し、拡張エリア０３００１には、ＳＶＣ設定応答（５）の拡張エリア１１００１に設定されているアプリケーションＩＤを設定し、送信手段０５００７を用いて、電子計算機０１０００宛に送信する。電子計算機０１０００は、その応答コマンドを受信手段０２００１で受信し、解析手段０２００２により起動応答（６）であることを認識し、呼制御手段０２００４を用いて、手順Ｂの処理を行う。
【００４７】
手順Ｂは、Ｈ．３２３で定義されたＱ．９３１のシーケンスの拡張処理である。この手順Ｂでは、まず、図４に示すＱ．９３１メッセージエリア０４０００にはＱ．９３１の呼設定で定義されている内容、拡張エリアには「アプリケーションＩ  Ｄ」を設定し、送信手段０２００７を用いて、ＬＡＮ管理装置０１００３へ送信する。ＬＡＮ管理装置０１００３は、そのコマンドを受信手段０５０００で受信し、解析手段０５００１により呼設定（７）であることを認識し、呼制御管理手段０５００４を用いて、呼設定（７）のＱ．９３１メッセージエリア０４０００の相手先アドレスを電子計算機０１０１０宛に変更し、そのまま送信手段０５００７を使って呼設定（８）として電子計算機０１０１０へ送信する。電子計算機０１０１０は、そのコマンドを受信手段０２００１で受信し、解析手段０２００２により呼設定（８）と認識し、呼制御手段０２００４を実行し、呼設定（８）の拡張エリア０４００１の「アプリケーションＩＤ」からテレビ会議起動による呼設定であることを認識する。そして、Ｑ．９３１で定義されている呼設定受付（９）を作成し、ＬＡＮ管理装置０１００３宛に送信手段０２００７を用いて送信する。
【００４８】
ＬＡＮ管理装置０１００３は、その応答コマンドを受信手段０５０００で受信し、呼設定受付（９）であることを認識し、呼制御管理手段０５００４を実行し、電子計算機０１０００宛の呼設定受付（１０）を作成し、送信手段０５００７で送信する。電子計算機０１０００は、受信手段０２００１で受信したコマンドが呼設定受付（１０）であることを解析手段０２００２を用いて認識し、呼制御手段０２００４でＤＢ０２００８に設定すべき情報があるときは設定する。
【００４９】
次に、手順Ｃについて説明する。電子計算機０１０１０は、起動手段０２００３、情報付加手段０２００５を用いて図３のＲＡＳメッセージエリア０３０００にはＡＲＱを設定し、さらに、呼設定（８）のコマンド内の「アプリケーションＩＤ」を拡張エリア０３００１に付加し、ＬＡＮ管理装置０１０１３宛に送信手段０２００７を用いて送信する。ＬＡＮ管理装置０１０１３は、そのコマンドを受信手段０２００１で受信し、解析手段０２００２を用いて上記コマンドが起動要求（１１）であることを認識し、起動要求（６）と同様の応答を返す。
【００５０】
手順Ｄから手順Ｆまでは、Ｈ．３２３で定義されたＬＡＮ管理装置０１００３を介して行うＱ．９３１に従った処理シーケンスと同様に、Ｈ．２４５制御チャネルを獲得しており電子計算機０１０００、０１０１０は受信手段０２００１、解析手段０２００２、呼制御手段０２００４、送信手段０２００６、ＬＡＮ管理装置０１００３を用いて処理を行ない、ＬＡＮ管理装置０１００３は、受信手段０５０００、解析手段０５００１、呼制御管理手段０５００４、送信手段０５００７を用いて処理を行なう。また、これらの処理において、Ｈ．３２３で定義された一連のシーケンスで獲得される情報は各装置のＤＢに保持する。手順Ｇでは、Ｈ．３２３に定義されたＬＡＮ管理装置０１００３を介して行うＨ．２４５に従った端末の能力交換の処理シーケンスと同様であり、データストリームの送受信に必要なＴＣＰ／ＩＰコネクション上の論理ポート番号を獲得し開設しており、電子計算機０１０００、０１０１０は、受信手段０２００１、解析手段０２００２、端末制御手段０２００６、送信手段０２００７を用いて処理を行ない、ＬＡＮ管理装置０１００３、０１０１３は受信手段０５０００、解析手段０５００１、呼制御管理手段０５００４、送信手段０５００７を用いて処理を行なう。また、手順Ｇで獲得した情報は各装置のＤＢに保持する。
【００５１】
最後に、手順Ｈについて説明する。手順Ｈは、手順Ｇで獲得した論理ポート番号と手順Ａで獲得したＶＣコネクションの対応をＡＴＭ交換機０１００４、０１０１０へ通知するために行なう処理であり、ＬＡＮ管理装置０１００３が受信手段０５００解析手段０５００１、ポート通知手段０５００６、送信手段０５００７を用いて処理を行なう。先ずＬＡＮ管理装置０１００３は、手順Ｇで獲得した論理ポート番号をポート通知手段０５００６を用いてＡＴＭ管理装置０１００５へ通知するために、図１１の要求種別１１０００へ「論理ポート設定要求」、付加情報１１００１へ「アプリケーションＩＤ」および手順Ｇで獲得した「論理ポート番号」を設定し、論理ポート設定要求（５２）を作成し、送信手段０５００７を用いて、ＡＴＭ管理装置０１００５宛に送信する。また、論理ポートなど、Ｈ．３２３に関する情報はＤＢ０５００８に保持するものとする。
【００５２】
次に、ＡＴＭ管理装置０１００５は、受信手段０６０００で受信されたコマンドを解析手段０６００１を用いて論理ポート設定要求（５２）と認識すると、ポート設定手段０６００４を用いて、コマンド内のアプリケーションＩＤ、論理ポート番号を抽出し、ＤＢ０６００６の内に格納された図１０（ｄ）テーブルの手順ＡのアプリケーションＩＤに一致する論理ポート１００１３へ設定し、さらに、論理ポート設定要求（５２）の付加情報１１００１にアプリケーションＩＤに一致するＶＰＩ値、ＶＣＩ値１０００９を設定し、論理ポート設定要求（５３）を送信手段０６００５を用いて、ＡＴＭ交換機０１００４宛に送信する。ＡＴＭ交換機０１００４は、受信手段０７０００で受信されたコマンドを解析手段０７００１で論理ポート設定要求（５４）であることを認識すると、ポート設定手段０７００４を起動し、ＤＢ０７００７へ論理ポート番号を格納し、論理ポート設定要求（５３）の要求種別１１０００に  論理ポート設定応答（成功）を設定し、送信手段０７００６でＡＴＭ管理装置０１００５宛に送信する。
【００５３】
ＡＴＭ管理装置０１００５は、応答コマンドを受信手段０６０００で受信し、解析手段０６００１で論理ポート設定応答（５４）であること認識し、論理ポート設定要求（５２）と同内容のメッセージを論理ポート設定要求（５５）としてＡＴＭ交換機０１０１４へ送信する。ＡＴＭ交換機０１０１４の論理ポート設定要求（５５）から論理ポート設定応答（５６）までの処理動作は、論理ポート設定要求（５３）、応答（５４）のＡＴＭ交換機０１００４と同じである。ＡＴＭ管理装置０１００５は、受信手段０６０００、解析手段０６００１により、論理ポート設定応答（５６）を受信すると、ポート設定手段０６００４を起動し、論理ポート設定応答（５６）から「ＶＰＩ／ＶＣＩ」を削除し、それを論理ポート設定応答（５７）としてＬＡＮ管理装置０１００３宛に送信手段０６００５を用いて送信する。
【００５４】
図１３の手順Ａから手順Ｈにより、テレビ会議専用のＳＶＣが設定された。図１３の起動（０）で起動されたテレビ会議システムのデータストリームだけがＬＡＮ０１００６とＬＡＮ０１０１５の間のＡＰＬ接続ＳＶＣ上で通信される。送信側のＡＴＭ交換機０１００４または０１０１４は、ルーチング手段０７００５によりEthernet（登録商標）経由で入力されるデータストリームの論理ポート番号から、図１２のコネクション情報１２０００を求め、データをＡＴＭセル用に分割し、宛先となるＶＰＩ値、ＶＣＩ値を付加し、ＡＴＭセル化し対向へルーチングする。また、対向となるＡＴＭ交換機０１００４または０１０１４はその逆処理を行う。
【００５５】
また、図１３の手順Ａ終了とともに、ＡＴＭ交換機０１００４および０１０１４は、初期化時から定期的に情報収集手段０７００２を用いて、自装置状態、ＡＴＭ専用線０１００７の情報をＤＢ０７００７へ格納し、ＡＴＭ管理装置０１００５へ通知していたのに加え、ＡＰＬ接続ＳＶＣの状態も加える。ＡＴＭ管理装置０１００５への通知には、ＡＴＭ管理装置０１００５宛に図１１に示すコマンドフォーマットの要求種別１１０００に状態通知、付加情報１１００１にその収集情報を設定し、送信手段０７００６を用いて通知する。
【００５６】
ＡＴＭ管理装置０１００５は、受信手段０６０００を用いてそのコマンドを受信し、解析手段０６００１を用いて解析し、監視制御手段０６００３を用いて、ＤＢ０６００６に設定し、ＡＰＬ接続ＳＶＣ、ＡＴＭ交換機０１００４、または、０１０１４に状態が変化していないかチェックし、状態が変化している場合には、受信したコマンドを送信手段０６００５を用いて、ＬＡＮ管理装置０１００３または０１０１３へ送信する。
【００５７】
ＬＡＮ管理装置０１００３または０１０１３は、そのコマンドを受信手段０５０００で受信し、解析手段０５００１で解析し、障害が発生し、ＡＰＬ接続ＳＶＣの通信に影響がありそうな場合は、手順Ａのコマンド（２）〜（５）のようにＡＴＭ管理装置０１００５宛に図１１のコマンドフォーマットを用いて、ＡＴＭ専用線０１００７上の他のＶＣコネクションの帯域などを変更する要求を行い、なるべくＡＰＬ接続ＳＶＣに影響が発生しないようにする。また、障害復旧の場合にも、前述と同様に、障害前の状態に戻す処理を行えるものとする。
【００５８】
図１４は、図１３に示す手順により設定されたＡＰＬ接続用ＳＶＣを削除するための正常系シーケンス図であり、それについて図１〜図１２を用いて説明する。手順Ｉは、電子計算機０１０００が入力手段０２０００から入力された終了（０）をトリガにして起こるＨ．３２３で定義された一連シーケンスであり、論理チャネルおよびＨ．２４５制御チャネルを閉じる手順である。また、これらの処理で不要となったＨ．３２３の情報は各装置のＤＢより削除する。
【００５９】
手順Ｊは、Ｈ．３２３で定義されたシーケンスの拡張である。まず、電子計算機０１０００の起動手段０２００３は、図３のＲＡＳメッセージエリア０３０００にＤＲＱを設定し、さらに、終了（０）により入力されたアプリケーション信号種別と一致するアプリケーションＩＤを図８のテーブルより求める。そして、そのＩＤの通知有／無０８００２が通知ならばアプリケーションＩＤを拡張エリア０３００１に設定し、終了処理要求（４）を作成し、ＬＡＮ管理装置０１００３宛に送信手段０２００７を用いて送信する。
【００６０】
次に、ＬＡＮ管理装置０１００３は、受信手段０５０００を用いて受信し、解析手段０５００１を用いて終了処理要求（４）であると認識すると、起動手段０５００２でコマンド内のアプリケーションＩＤから図９のテーブルで一致するＩＤのＡＰＬ接続ＳＶＣ使用有無０９００２をチェックし、「使用」の場合は、ＡＴＭ管理装置０１００５宛てに図１１のフォーマットの要求種別１１０００にＳＶＣ開放要求、付加情報１１００１にアプリケーションＩＤ、図１３の処理で獲得した論理ポート番号を設定し、ＳＶＣ開放要求（５）を作成し送信手段０５００７を用いて送信する。各装置を構成する機能ブロックの使用方法は図１３の論理ポート設定要求（５２）から応答（５７）と同様であり、メッセージフォーマットは、要求種別１１０００は、論理ポート解除要求の場合には「論理ポート解除」、応答の場合には「論理ポート解除応答（成功）」を設定し、付加情報１１００１は「アプリケーションＩＤ」だけ設定する。また、図１３のＳＶＣ設定要求（２）から応答（５）でＡＴＭ交換機０１００４、０１０１４、ＡＴＭ管理装置０１００５の各ＤＢに設定したデータをＳＶＣ開放要求（５）から応答（８）までで削除する。
【００６１】
ＡＴＭ管理装置０１００５は、そのコマンドを受信手段０６０００で受信し、解析手段０６００１で解析しＳＶＣ解放要求（５）であることを認識したら、交換機制御手段０６００２により図１３の処理シーケンスで設定しまだ残っている情報をすべてＤＢ０６００６から削除する。また、交換機制御手段０６００２を用いてＡＴＭ交換機０１００４へ受信コマンドをそのままＳＶＣ解放要求（６）として送信手段０６００５を用いて送信する。
【００６２】
ＡＴＭ交換機０１００４は、そのコマンドを受信手段０７０００で受信し、解析手段０７００１で解析しＳＶＣ解放要求（６）であることを認識したら、ルーチング手段０７００５により図１３の処理シーケンスで設定しまだ残っている情報をすべてＤＢ０７００７から削除する。次に、ＡＴＭ呼制御手段０７００３はＵＮＩ／ＮＮＩで定義されたＳＶＣ解放処理を行い、ＡＴＭ交換機０１０１４側へＳＶＣ解放要求を行い該当ＳＶＣに関する対向の情報も削除する。そして、図１１のコマンドフォーマットの要求種別１１０００にＳＶＣ解放応答（成功）を設定し、付加情報１１００１に受信コマンドと同じ付加情報を設定しＳＶＣ解放応答（７）を作成し、送信手段０７００６を用いてＡＴＭ管理装置０１００５へ送信する。
【００６３】
ＡＴＭ管理装置０１００５は、ＡＴＭ交換機０１００４の応答コマンドを受信手段０６０００を用いて受信し、解析手段０６００１で解析しＳＶＣ解放応答（７）ならば、そのままＬＡＮ管理装置０１００３宛にＳＶＣ解放応答（８）として送信手段０６００５を用いて送信する。
【００６４】
ＬＡＮ管理装置０１００３が、そのコマンドを受信手段０５０００を用いて受信し、解析手段０５００１で解析しＳＶＣ解放応答（８）ならば、確保しておいた論理ポート番号とＨ．３２３に関する他の情報をＤＢ０５００８から削除し、Ｈ．３２３の定義に従いＨ．２２５のＤＣＦ相当の終了処理応答（９）を作成し、送信手段０５００７を用いて電子計算機０１０００宛に送信する。
【００６５】
さらに、電子計算機０１０１０は図１３のシーケンスで設定した情報を削除するために、図１４の終了処理要求（４）および（９）と同様に、（１０）および（１１）を行う。  図１４の手順Ｉ、Ｊにより、ＡＴＭ専用線０１００７に収容されていたテレビ会議専用のＡＰＬ接続ＳＶＣは削除された。
【００６６】
以上のように、本実施の形態では、Ｈ．３２３で管理されているＬＡＮ間のデータ通信において、
ＬＡＮ管理装置０１００３、０１０１３がＡＴＭ呼要求手段０５００３と図１１のコマンドにより、ＡＴＭ専用線０１００７上のＡＴＭコネクションの各種設定変更依頼をＡＴＭ管理装置０１００５へ行うことが可能となる。
【００６７】
なお、図１３、図１４ともに正常系のシーケンスであるが、Ｈ．３２３で定義された異常系シーケンスおよび図１４の（５）から（８）を適宜組み合わせて使用し、各装置が異常発生したシーケンスの前の状態に戻れるように処理することで異常系シーケンスは実現できることが容易に類推できる。
【００６８】
なお、本実施の形態では、電子計算機が対向で１対としているが、複数ある場合には、図１を構成する各装置のＤＢに対し、必要に応じて端末種別とＤＢ内のテーブル情報のマッチングをとるテーブルなどを設けることにより、帯域制御システムは実現できる。
【００６９】
なお、ＬＡＮ管理装置０１００３、０１０１３、ＡＴＭ交換機０１０００４、０１００１４、ＡＴＭ管理装置０１００５の各間は、独自コマンドとして説明したが、ＳＮＭＰ相当のプロトコルで通信しても同じ効果が得られる。
【００７０】
なお、帯域を確実に保証したいアプリケーションごとにＡＰＬ接続ＳＶＣを設定せずに、図１５に示すように、ＬＡＮ間接続ＰＶＣの保証帯域を完全に保証できる状態まで増加させても同じ効果が得られ、つまり、その場合には、図１３の手順Ａのかわりに図１６の手順Ａを実行し、保証帯域を増加させ、図１４の手順Ｊのかわりに図１７の手順Ｊを用いてアプリケーション起動前の保証帯域に戻す。
【００７１】
なお、帯域を確実に保証したいアプリケーションごとにＡＰＬ接続ＳＶＣを設定せずに、図１８に示すように、帯域制御システムが起動されると同時に、ＬＡＮ間接続のＰＶＣとアプリケーション接続ＰＶＣ（以下、ＡＰＬ接続ＰＶＣ）を設定し、帯域を確実に保証したいアプリケーションのデータをＡＰＬ接続ＰＶＣで通信することで同じ効果が得られ、つまり、その場合には、図１３の手順Ａのかわりに図１９の手順Ａを用いてＡＰＬ接続用ＰＶＣに空き帯域があるかどうかチェックし、図１４の手順Ｊのかわりに図２０の手順Ｊを行う。
【００７２】
なお、ＬＡＮ管理装置０１００３、０１０１３で保持するＡＰＬ接続用ＳＶＣのトラヒッククラスなどの帯域情報は、帯域制御システム構築時にネットワーク設計者によりあらかじめ設定され、システム起動時に有効になるように設定されるため、ユーザはＡＴＭ側の帯域情報を全く意識する必要はない。
【００７３】
（実施の形態２）
次に、本発明の第２の実施の形態について説明する。図１は、ＴＣＰ／ＩＰで構築され、ＩＴＵ−Ｔ  Ｈ．３２３に基づき管理される二つのＬＡＮの間をＡＴＭメガリンクサービスまたはそれと類似するＶＰ契約のＡＴＭ専用線サービスで接続した帯域制御システムの構成図の一例であり、各種装置間の相互の管理関係は初期立ち上げ時に登録されていることを前提としている。図１は、実施の形態１と全く同様な構成である。
【００７４】
次に、帯域制御システムを構成する各装置の機能ブロック図について、説明する。図２１は、Ｈ．３２３に準じた終点端末相当の機能を有する電子計算機０１０００および０１０１０の機能ブロック図の一例である。図２１において、２１０００はキーボード、マウスといった電子計算機の外部入力装置から入力を受け付ける入力手段、２１００１は、自装置以外からＨ．３２３に基づいたコマンドおよびデータを受け付ける受信手段、２１００２は、電子計算機内の状態を管理しており、入力手段２１０００または受信手段２１００１からの入力を解析し、その結果、次に何の処理を実行すればよいか判断する解析手段、２１００３は、入力手段２１０００または受付手段２１００１により入力された操作内容が実行可能であるかＬＡＮ管理装置へ判断を仰ぐために、Ｈ．２２５のＲＡＳをベースとした処理とそのコマンドを生成する起動手段、２１００４は、Ｑ．９３１をベースとした処理とコマンドを生成する呼制御手段、２１００５は、起動手段２１００３、呼制御手段２１００４により実行され、ＲＡＳコマンド、Ｑ９３１コマンドとして定義されたものに対し、付加情報を付加する機能を持った情報付加手段、２１００６は、Ｈ．２４５をベースとした端末能力交換、論理チャネル開設に伴うコマンドを生成し、さらに、そのコマンドの応答を処理する端末制御手段、２１００７は、起動手段２１００３、呼制御手段２１００４、端末制御手段２１００６で生成されたコマンドを他装置へ送信する送信手段、２１００８はＨ．３２３に基づき管理しているＬＡＮ管理装置アドレス、自端末情報、通信している対向電子計算機の端末能力、帯域制御システム内で一意なアプリケーションＩＤを保持するＤＢ、２１００９は入力手段２１０００からアプリケーション起動予約が入力されたときに動作し、予約時間になるのを監視し、予約時間がきたときにはアプリケーションの起動要求をＬＡＮ管理装置０１００３宛に送信手段２１００７を用いて送信するタイマ監視手段である。
【００７５】
図２２は、ＬＡＮ管理装置０１００３、０１０１３の機能ブロック図の一例であり、Ｈ．３２３のゲートキーパー相当の機能を有しており、図２２において、２２０００は、自装置以外からコマンドおよびデータを受け付ける受信手段、２２００１は、ＬＡＮ管理装置０１００３、０１０１３の管理下にありＬＡＮ内の各装置の状態を管理しており、受信手段２２０００からの入力コマンドを解析し、その結果、何の処理を実行すればよいか判断する解析手段、２２００２は電子計算機０１０００または０１０１０から起動要求されたアプリケーションが実行可能かどうか判断し、実行可能な場合には、必要に応じて、ＲＡＳとそれに関わる処理をするためにＡＴＭ呼制御を要求し、またその結果を示す応答コマンドを作成する起動管理手段、２２００３はＡＴＭ管理装置０１００５に対しＡＴＭの呼制御の要求を依頼するコマンドを作成し、そのコマンドの応答を処理し、また、ＡＴＭ管理装置０１００５からＡＴＭ専用線０１００７の障害状態を受信した場合には、ＡＰＬ接続用ＳＶＣ０１００９になるべく影響がないように帯域を調整するために、ＡＴＭ管理装置０１００５に対して帯域変更要求コマンドを生成し、その応答を処理するＡＴＭ呼要求手段である。
【００７６】
また、２２００４はＱ．９３１をベースとしたコマンドを生成、および、そのコマンドの応答を処理する呼制御管理手段、２２００５は、Ｈ．２４５をベースとした端末能力交換、論理チャネル開設に伴うコマンドの生成、および、そのコマンドの応答を処理し、必要に応じてポート通知手段２２００６を呼ぶ端末制御管理手段、２２００６は端末制御管理手段２２００５により実行され、ＡＴＭ管理装置０１００５に対し、端末制御管理手段２２００５の結果として得られるデータストリーム伝送用の論理ポート番号を通知するポート通知手段、２２００７は、起動手段２２００２、ＡＴＭ呼要求手段２２００３、呼制御手段２２００４、端末制御手段２２００５、ポート通知手段２２００６で生成されたコマンドを他の装置へ送信する手段、２２００８はＨ．３２３に基づき管理しているＬＡＮ内の装置に対して、装置情報およびその状態を保持するＤＢであり、２２００９はアプリケーション起動予約要求を受信手段２２０００から受信した場合に起動され、予約されたアプリケーションに対し、システムで一意となる予約の識別子を付与する予約ＩＤ付与手段である。この予約ＩＤ付与手段２２００９は、各ＬＡＮ管理装置ごとに重複しないように付与する値域が決まっている。ＡＴＭ管理装置０１００５、ＡＴＭ交換機０１００４、０１０１４についての機能ブロック図は、実施の形態１と同様に構成されているものとする。
【００７７】
図２３は、電子計算機０１０００、０１０１０のＤＢ２１００８で保持される多々あるテーブルのうち、アプリケーションＩＤと予約時間および予約ＩＤの関係を示すテーブルの一例である。図２３において、２３０００は帯域制御システム内で使用されるアプリケーションが一意になるように設定されたアプリケーションＩＤ、２３００１はアプリケーションを起動開始の時間を示す予約時間、２３００２はアプリケーションの予約起動時にＬＡＮ管理装置により付与される予約ＩＤである。
【００７８】
図２４は、ＬＡＮ管理装置０１００３、０１０１３のＤＢ２２００８で保持される多々あるテーブルのうち、アプリケーションＩＤと予約時間および予約ＩＤの関係を示すテーブルの一例である。図２４において、２４０００は帯域制御システム内で一意であるアプリケーションＩＤ、２４００１はアプリケーションを起動する予約時間、２４００２は帯域制御システム内で一意となる予約ＩＤである。
【００７９】
ＡＴＭ管理装置０１００５のＤＢ０５００８で保持される多々あるテーブルのうち、図２５（ａ）は予約時間および予約ＩＤとルーチング情報を格納したテーブル、図２５（ｂ）は帯域予約状況テーブルの一例である。図２５（ａ）において、２５００９はＶＣコネクション情報（ＶＰＩ値、ＶＣＩ値）、２５０１０は対向のＶＣコネクション情報（ＶＰＩ値、ＶＣＩ値）、２５０１１はＡＴＭ帯域情報、２５０１２は障害の有無、２５０１３は２５００９に対応するコネクションの論理ポート番号、２５０１４はアプリケーションＩＤ、２５０１５は予約ＩＤ、２５０１６は予約時間である。図２５（ｂ）において、２５０１７は予約時間のレンジであり、２５０１８は予約ＩＤであり、２５０１９は予約時間２５０１７に対する予約帯域の合計、２５０２０はそのときの残余帯域を示す。
【００８０】
図２６は、帯域制御システムによりテレビ会議を予約起動する場合にＬＡＮ接続用ＰＶＣ内で流れるコマンドシーケンスで、以下に図１、図３〜図４、図８、図１０（ａ）〜（ｃ）、図１１〜１３、図２１〜図２５を用いてその動作について説明する。
【００８１】
まず、手順Ｋについて説明する。電子計算機０１０００は、入力手段２１０００から入力された信号を解析手段２１００２を用いて解析し、テレビ会議の予約起動を要求する予約起動（０）信号であることを認識すると、起動手段２１００３を用いて、ＤＢ２１００８内に保持したテーブル図８よりアプリケーションＩＤを獲得し、さらに、情報付加手段２１００５を実行する。そして、情報付加手段２１００５により、図３に示すコマンドフォーマットのＲＡＳメッセージエリア０３０００にＡＲＱ内容を設定し、拡張エリア０３００１に獲得した「アプリケーションＩＤ」、および、起動（０）に設定されていた「予約時間」を設定し、送信手段２１００７を用いて起動予約（１）としてＬＡＮ管理装置０１００３宛に送信する。
【００８２】
ＬＡＮ管理装置０１００３は、そのコマンドを受信手段２２０００で受信し、解析手段２２００１により起動予約要求（１）であることを解析し、起動管理手段２２００２を実行する。起動管理手段２２００２は、予約ＩＤ付与手段２２００９を用いて、帯域予約システムの立ち上げ時にＬＡＮ管理装置０１００３用に付与管理されている複数の予約ＩＤから未使用予約ＩＤを獲得する。そして、起動予約要求（１）の拡張エリア０３００１に設定されている「アプリケーションＩＤ」をキーにして、図２４のテーブルを用いＡＰＬ接続ＳＶＣの使用有無２４００４を獲得し、ＡＰＬ接続用ＳＶＣの使用有無２４００４が「使用」の場合には、図１１に示すフォーマットに従い、要求種別１１０００へ「帯域予約要求」、付加情報１１００１には獲得したばかりの「予約ＩＤ」、ＡＴＭ帯域情報０９００１の情報を設定し帯域予約要求（２）を作成し、送信手段２２００７を用いてＡＴＭ管理装置０１００５宛に送信する。
【００８３】
また、「未使用」の場合には、帯域予約要求（２）、帯域予約応答（３）を行なわず、アプリケーションＩＤおよび予約ＩＤを拡張エリア０３００１に設定し、ＲＡＳメッセージエリア０３０００にＨ．２２５で定義されたＲＡＳに従いＡＣＦを設定し、起動予約要求（１）の応答メッセージ（３）を作成し送信手段２２００７により電子計算機０１０００宛に送信する。ＡＴＭ管理装置０１００５は、そのコマンドを受信手段０６０００で受信し、解析手段０６００１により帯域予約要求（２）であることを解析し、交換機制御手段０６００２を用い、ＤＢ０６００６に格納されているＡＴＭ交換機０１００４とテレビ会議を実行する対向ＬＡＮ０１０１５を収容するＡＴＭ交換機０１０１４の予約時間の状態を図２５  （ｂ）を用いて監視制御手段０６００３により調査する。監視制御手段０６００３は帯域予約要求（２）の「予約時間」、「ＡＴＭ帯域情報」から、図２５（ｂ）の残余帯域２５００２０で帯域予約要求（２）で要求されたＡＴＭ帯域情報が保証できることを確認したら、ＬＡＮ管理装置０１００３から受信した帯域予約要求（２）の付加情報１１００１の情報を図２５（ａ）、（ｂ）に設定し、さらに、要求種別「帯域予約応答（成功）」、付加情報１１００１に帯域予約要求（２）の付加情報を設定し、ＬＡＮ管理装置０１０３宛に帯域予約応答（３）を送信手段０６００５を用いて送信する。
【００８４】
ＬＡＮ管理装置０１００３は、そのコマンドを受信手段２２０００で受信し、解析手段２２００１により帯域予約応答（３）であることを認識し、要求種別１１０００が「帯域予約応答（成功）」の場合には、コマンドの付加情報１１００１の内容をＤＢ２２００８内の図２４に示すテーブルへ設定する。そして、電子計算機０１０００宛の起動予約応答（４）として、起動管理手段２２００２を用いてＲＡＳメッセージエリア０３０００にＨ．２２５で定義されたＡＣＦを設定し、拡張エリア０３００１に帯域予約応答（３）の付加情報エリア１１００１の内容をそのまま設定し、電子計算機０１０００宛に送信手段２２００７を用いて送信する。電子計算機０１０００は、起動予約応答（４）を受信し、その内容をＤＢ２１００８内の図２３に示すテーブルへ格納し、タイマ監視手段２１００９にアプリケーション起動開始時刻を設定すると、タイマのカウントアップを開始する。
【００８５】
次に、手順Ｌについて説明する。手順Ｌは、タイマ監視手段２１００９により、手順Ｋで設定した予約起動時刻が検出されたときに実行される。手順Ｌは、起動要求（５）の拡張エリア、ＳＶＣ設定要求（６）、（７）までの付加情報１１００１に予約ＩＤが付与され、ＳＶＣ設定応答（９）でＬＡＮ管理装置が付与していた予約ＩＤが予約ＩＤ付与手段により解放されること以外は、図１３手順Ａと全く同じ動作をする。手順Ｍは、実施の形態１における図１３手順Ｂから手順Ｈまでと同様である。
【００８６】
図２７は、予約中のアプリケーションの起動中止のシーケンスの一例であり、手順Ｎは手順Ｋで設定した内容をすべて削除する手順である。先ず、電子計算機０１０００が予約中止（０）を入力手段２１０００で受信すると、ＲＡＳメッセージエリア０３０００にＤＲＱを設定し、拡張エリア０３００１に予約ＩＤのみを設定し、予約中止要求（１）を作成し、送信手段２１００７を用いてＬＡＮ管理装置０１００３宛に送信される。ＬＡＮ管理装置０１００３が受信手段２２０００、解析手段２２００１を用いて予約中止要求（１）を受信すると、コマンド内の予約ＩＤをキーにして図２６の予約起動要求（１）で設定したＤＢ２２００８の内容をすべて削除し、要求種別１１０００が「予約中止要求」、付加情報１１００１が「予約ＩＤ」となるコマンドを作成し、ＡＴＭ管理装置０１００５宛に送信手段２２００７を用いて送信する。
【００８７】
ＡＴＭ管理装置０１００５が受信手段０６０００、解析手段０６００１を用いて予約中止要求（２）を受信すると、コマンド内の予約ＩＤから図２６の帯域予約要求（２）で設定したＤＢ０６００６の内容をすべて削除し、要求種別１１０００が「予約中止応答」、付加情報１１００１が「予約ＩＤ」となる予約中止応答（３）を作成し、ＬＡＮ管理装置０１００３宛に送信手段０６００５を用いて送信する。ＬＡＮ管理装置０１００３が受信手段２２０００、解析手段２２００１を用いて予約中止応答（３）を受信すると、コマンド内の予約ＩＤを予約ＩＤ付与手段２２００９により解放し、ＤＣＦをＲＡＳメッセージエリア０３０００に、受信コマンドの付加情報１１０００を拡張エリア０３００１へ設定した予約中止応答（４）を電子計算機０１０００宛に送信手段２２００７を用いて送信する。電子計算機０１０００は、予約中止応答（４）を受信すると、コマンド内の予約ＩＤをキーにしてタイマ監視手段２１００９内の該当タイマをクリアし、ＤＢ２１００８で予約ＩＤに関する情報と予約ＩＤをクリアする。図２６の起動要求  （５）により起動中のアプリケーションを終了するためのシーケンスは、図１４と同様である。
【００８８】
以上のように、実施の形態では、電子計算機からのアプリケーションの起動予約要求に対し、システム全体で一意となる予約ＩＤを付与する予約ＩＤ付与手段を具備することを特徴とするＬＡＮ管理装置を設け、予約ＩＤを用いて起動要求をすることにより、事前に予約したアプリケーションと起動要求しているアプリケーションのマッチングをとることが可能となる。
【００８９】
また、電子計算機からアプリケーションの起動予約要求をし、予約ＩＤと予約帯域、その帯域が必要となる時刻のＡＴＭ専用線上の帯域状況をすべて管理するテーブルを保持するＡＴＭ管理装置が、その応答として起動予約時刻の帯域状況のすべてを応答として返すことにより、ユーザは、電子計算機に返されたその応答から起動予約時刻の帯域状況がわかるようになり、その結果から判断して、自由に予約時刻を変更することで、帯域を確実に確保することが可能となる。
【００９０】
また、電子計算機から帯域の確保と高いＱｏＳを要求するアプリケーションの起動予約をするたびに、そのデータ通信専用のＳＶＣの予約を行い、起動要求により、ＳＶＣを設定し、それを用いて通信し、終了とともにＳＶＣを解放し、それ以外のアプリケーションのデータは、常時ＬＡＮ間に接続されているＬＡＮ間接続専用のＰＶＣを用いて通信することにより、アプリケーションに対し帯域の確保と高いＱｏＳの保証が可能となる。
【００９１】
なお、正常系のシーケンスについて説明したが、異常系の場合は、Ｈ．３２３で定義された異常系シーケンスおよび図１４の（５）から（８）、図２７の（１）から（４）を適宜組み合わせて使用し、各装置が異常発生したシーケンスの前の状態に戻れるように処理することで実現できる。
【００９２】
なお、図２６の帯域予約要求（２）のシーケンスにおいて、ＡＴＭ管理制御０１００５が予約ＩＤとともに予約時間を図２５（ｂ）で管理していることから、ＡＴＭ専用線０１００７の予約時間の帯域状態をすべて帯域予約応答（３）の付加情報１１００１に設定して返すこともでき、これにより、予約時間帯が混んでおり、確実な帯域確保が不可能な場合には、ユーザは帯域に空きがあるときに予約を変更するなどフレキシブルに対応することが可能になる。
【００９３】
なお、ＡＴＭ交換機０１０００４、０１００１４とＡＴＭ管理装置０１００５の間は、独自コマンドとして説明したが、ＳＮＭＰ相当のプロトコルで通信しても同じ効果が得られる。
【００９４】
なお、アプリケーションに対するＡＰＬ接続用ＳＶＣのトラヒッククラスなどの帯域情報は、ネットワーク設計者によりあらかじめ設定されているため、ユーザは帯域情報を意識する必要はない。
【００９５】
なお、帯域を確実に保証したいアプリケーションごとにＡＰＬ接続ＳＶＣを設定せずに、図１５に示すように、ＬＡＮ間接続ＰＶＣの保証帯域を完全に保証できる状態まで増加させても同じ効果が得られる。
【００９６】
なお、帯域を確実に保証したいアプリケーションごとにＡＰＬ接続ＳＶＣを設定せずに、図１８に示すように、帯域制御システムが起動されると同時に、ＬＡＮ間接続ＰＶＣとＡＰＬ接続ＰＶＣが設定し、ＡＰＬ接続ＰＶＣを用いても同じ効果が得られる。
【００９７】
（実施の形態３）
図１は、ＴＣＰ／ＩＰで構築され、ＩＴＵ−Ｔ  Ｈ．３２３に基づき管理される二つのＬＡＮの間をＡＴＭメガリンクサービスまたはそれと類似するＶＰ契約のＡＴＭ専用線サービスで接続した帯域制御システムの構成図の一例であり、各種装置間の相互の管理関係、障害などの装置状態収集および諸設定は初期立ち上げ時に登録され、正常に運用動作を開始していることを前提とする。また、各装置間コマンドに含まれる情報の並びは、装置間であらかじめ定義されていることを前提とする。
【００９８】
図１において、０１０００と０１０１０はアプリケーションを実行する端末機能を担う電子計算機、０１００１および０１０１１はアナログまたはデジタル信号の構内電話機、０１００２は電話機０１００１を収容するＰＢＸ、０１０１２はそれと同様に電話機０１０１１を収容するＰＢＸ、０１００３は、ＩＴＵ−Ｔ
【００９９】
Ｈ．３２３に基づき電子計算機０１０００、電話機０１００１、ＰＢＸ０１００２に対し、帯域制御、アドレス解決、認証、呼制御、端末制御を管理するＬＡＮ管理装置、０１０１３は、Ｈ．３２３に基づき電子計算機０１０１０、電話機０１０１１、ＰＢＸ０１０１２に対し、帯域制御、アドレス解決、認証、呼制御、端末制御を管理するＬＡＮ管理装置、０１００４と０１０１４は呼制御を行いＡＴＭコネクションを確立し、ＬＡＮからのデータを入力しＡＴＭセルに変換しルーチング、また、その逆変換をするＡＴＭ交換機、０１００５はＡＴＭ交換機０１００４および０１０１４、ＡＴＭ網をリモートで保守／監視制御を行うＡＴＭ管理装置、０１００６は、０１０００から０１００５で構成されるＬＡＮ、０１０１５は、０１０１０から０１０１４で構成されるＬＡＮ、０１００７はＬＡＮ０１００６と０１０１５を収容するＡＴＭ専用線、０１００８は、ＬＡＮ０１００６と０１０１５間を接続することを担うＰＶＣであり、帯域があまり保証されていないトラヒッククラスを持ち、帯域制御システムの初期立ち上がり時に設定され、伝送遅延やデータ廃棄に強いデータおよび制御信号を収容するＬＡＮ間接続ＰＶＣ、０１００９は、ＬＡＮ０１００６と０１０１５間を接続するＳＶＣであり、ある程度帯域保証ができるトラヒッククラスを持ち、伝送遅延やデータ廃棄に弱いデータ通信を必要とするアプリケーションごとにＡＴＭ専用線０１００７内に複数存在するアプリケーション接続用のＳＶＣ（以下、ＡＰＬ接続ＳＶＣ）である。
【０１００】
図２８は、Ｈ．３２３に準じた終点端末相当の機能を有する電子計算機０１０００および０１０１０の機能ブロック図の一例であり、図２８において、２８０００はキーボード、マウスといった電子計算機の外部入力装置から入力を受け付ける入力手段、２８００１は、ネットワーク上の装置からＨ．３２３に基づいたコマンドおよびデータを受け付ける受信手段、２８００２は、電子計算機内の状態を管理しており、入力手段２８０００または受信手段２８００１からの入力を解析し、その結果、次に何の処理を実行すればよいか判断する解析手段、２８００３は、入力手段２８０００または受信手段２８００１により入力された操作内容が実行可能であるかＬＡＮ管理装置へ判断を仰ぐために、Ｈ．２２５をベースにした処理とそのコマンドを生成する起動手段、２８００４は、Ｑ．９３１をベースとした処理とコマンドを生成する呼制御手段、２８００５は、Ｈ．２４５をベースとした端末能力交換を担い、論理チャネル開設に伴うコマンドを生成し、さらに、そのコマンドの応答を処理する端末制御手段、２８００６は、起動手段２８００３、呼制御手段２８００４、端末制御手段２８００５で生成されたコマンドを他装置へ送信する送信手段、２８００７は、Ｈ．３２３に基づき管理しているＬＡＮ管理装置アドレス、自端末情報、通信している対向電子計算機の端末能力などの情報を保持するＤＢである。
【０１０１】
図５は、ＬＡＮ管理装置０１００３、０１０１３の機能ブロック図の一例であり、Ｈ．３２３のゲートキーパー相当の機能を有しており、図５において、０５０００は、ネットワーク上の装置からコマンドおよびデータを受け付ける受信手段、０５００１は、ＬＡＮ管理装置０１００３、０１０１３の状態を管理しており、受信手段０５０００で受信した入力コマンドを解析し、その結果、何の処理を実行すればよいか判断する解析手段、０５００２は、電子計算機０１０００または０１０１０から起動要求されたアプリケーションのＡＴＭ帯域情報を獲得する起動管理手段、０５００３は、ＡＴＭ管理装置０１００５に対しＡＴＭ呼制御を要求し、また、それに対する応答コマンドを処理し、また、ＡＴＭ管理装置０１００５からＡＴＭ専用線０１００７およびＡＴＭ交換機０１００４、０１０１４の障害が通知された場合には、ＡＰＬ接続用ＳＶＣ０１００９になるべく影響がないように、ＡＴＭ管理装置０１００５宛にＡＴＭ専用線０１００７上の他のＡＴＭコネクションの帯域変更要求を通知するコマンドを作成し、その応答を処理するＡＴＭ呼要求手段、０５００４は、Ｑ．９３１をベースとした処理を行う呼制御管理手段、０５００５は、Ｈ．２４５をベースとした端末能力交換処理を行う端末制御管理手段、０５００６は、端末制御管理手段０５００５により実行され、ＡＴＭ管理装置０１００５に対し、端末制御管理手段０５００５の結果として得られるデータストリーム伝送用の論理ポートを通知するポート通知手段、０５００７は、起動管理手段０５００２、ＡＴＭ呼要求手段０５００３、呼制御管理手段０５００４、端末制御管理手段０５００５、ポート通知手段０５００６で生成されたコマンドをネットワーク上の他の装置へ送信する手段、０５００８は、Ｈ．３２３に基づき管理しているＬＡＮ内の装置情報およびそれに付随する情報を保持するＤＢである。
【０１０２】
図６は、ＡＴＭ管理装置０１００５の機能ブロック図の一例であり、図６において、０６０００は、自装置以外の装置からコマンドを受け付ける受信手段、０６００１は、受信手段０６０００で受信した入力コマンドを解析し、そのコマンドを解析し次に実行すべき処理を判断する解析手段、０６００２は、ＡＴＭ専用線０１００７の残余帯域を調査し、残余帯域がある場合にはＡＴＭ交換機０１００４または０１０１４宛にＳＶＣ設定要求コマンドを生成し、そのコマンドの応答結果を処理する交換機制御手段、０６００３は、ＡＴＭ交換機０１００４または０１０１４、および、ＡＴＭ専用線０１００７の状態を管理し、必要があれば保守制御を行う監視制御手段、０６００４は、Ｈ．２４５の端末能力交換処理の結果として獲得される論理ポートとＡＰＬ接続ＳＶＣの対応をＡＴＭ交換機０１００４または０１０１４へ通知するコマンドを生成し、そのコマンドの応答結果を処理するポート設定手段、０６００５は、ポート設定手段０６００４、監視制御手段０６００３、交換機制御手段０６００２が生成したコマンドをネットワーク上の他装置へ送信する送信手段、０６００６は、ＡＴＭ交換機０１００４または０１０１４、ＡＴＭ専用線０１００７上のＡＴＭコネクションの各種状態および情報を管理するＤＢである。
【０１０３】
図７は、ＡＴＭ交換機０１００４または０１０１４の機能ブロック図の一例であり、図７において、０７０００は、ネットワーク上の他の装置から送信されたコマンドを受信する受信手段、０７００１は、受信手段０７０００で受信したコマンドを解析し、次に実行する処理を判断する解析手段、０７００２は、ＡＴＭ専用線０１００７上の自装置に収容しているＡＴＭコネクション、自装置内の各種状態を収集する状態収集手段、０７００３はＡＴＭコネクションに対して呼制御を行うＡＴＭ呼制御手段、０７００４はＡＴＭ管理装置０１００５から通知される、ＴＣＰ／ＩＰの論理ポート番号をルーチング情報としてＤＢ０７００７に設定する論理ポート設定手段、０７００５はルーチング処理を行うルーチング手段、０７００６は状態収集手段０７００２、ポート設定手段０７００４、ＡＴＭ呼制御手段０７００３の処理結果をネットワーク上の他装置へ送信する送信手段、０７００７はＡＴＭ交換機のルーチング情報および自装置内の各種状態を管理するＤＢである。  図２９は、電子計算機０１０００または０１０１０のＤＢ０２００８で保持する多々あるテーブルのうち、入力手段０２０００を使ってキーボード、マウスといた外部入力装置から受信したアプリケーション起動要求をＬＡＮ管理装置０１００３または０１０１３へ通知するかどうかを決定するテーブルである。また、本テーブルの各項目は、初期立ち上がり時にあらかじめ設定されている。２９０００は、外部入力装置から入力されたアプリケーション種別であり、２９００１はＬＡＮ管理装置０１００３または０１０１３へ通知するかどうかを示す通知有無である。
【０１０４】
図３０は、ＬＡＮ管理装置０１００３、０１０１３のＤＢ０５００８で保持する多々あるテーブルのうち、初期立ち上がり時にあらかじめ設定されているテーブルであり、電子計算機０１０００または０１０１０のようなＬＡＮ内の装置のＩＰアドレスからＡＴＭ帯域情報を算出することができるテーブルの一例である。３００００はＩＰアドレス、３０００１はＡＴＭ帯域情報、３０００２はＩＤである。
【０１０５】
図３１は、ＡＴＭ管理装置０１００５のＤＢ０６００６で保持するＡＴＭ交換機０１００４、０１０１４に関する多々あるテーブルのうち、（ａ）は障害情報を保持するテーブル、（ｂ）は管理下にあるＡＴＭ専用線上の帯域状態を示すテーブル、（ｃ）はＶＰＩ、ＶＣＩで特定されるＶＣコネクションの空きを示すテーブル、（ｄ）はルーチング情報テーブルである。図３１（ａ）において、３１０００は、管理下にある交換機の種別、３１００１はその交換機の障害の有無、３１００２は障害の詳細を示す。図３１（ｂ）において、３１００３は管理下にあるＶＰサービス種別、３１００４は契約帯域、３１００５は残余帯域、３１００６は使用帯域を示す。図３１（ｃ）において、３１００７はＡＴＭ専用線０１００７で収容可能なＶＣコネクションであり、３１００８はそのＶＣコネクションが使用されているかどうかを示す。図３１（ｄ）において、３１００９はＶＣコネクション（ＶＰＩ値、ＶＣＩ値）、３１０１０は対向のＶＣコネクション（ＶＰＩ値、ＶＣＩ値）、３１０１１はＡＴＭ帯域情報、３１０１２はＶＣコネクションの障害が発生しているかどうか、３１０１３は３１００９に対応するＴＣＰ／ＩＰのコネクションの論理ポート番号、３１０１４はＬＡＮ管理装置０１００３または０１０１３から通知されるＩＤである。
【０１０６】
図１１は、帯域制御システム内のＬＡＮ管理装置０１００３、０１０１３、ＡＴＭ管理装置０１００５、ＡＴＭ交換機０１００４、０１０１４の間で使用されるコマンドフォーマットであり、１１０００は要求種別を示し、１１００１は付加情報を示す。
【０１０７】
図３２は、ＡＴＭ交換機０１００４、０１０１４のＤＢ０７００７で保持する多々あるテーブルのうち、ＴＣＰ／ＩＰコネクションとＡＴＭコネクションの対応を示すルーチング情報テーブルであり、３２０００はＶＣコネクション（ＶＰＩ値、ＶＣＩ値）、３２００１は対向のＶＣコネクション（ＶＰＩ値、ＶＣＩ値）、３２００２はＡＴＭ帯域情報、３２００３はＶＣ障害の有無、３２００４は３２０００に対応する論理ポート番号、３２００５はＡＴＭ管理装置０１０００５から通知されたＩＤである。
【０１０８】
図１３は、帯域制御システムでテレビ会議などのアプリケーションを実行する場合の正常系シーケンス図であり、以下に図１、５〜７、１１、２８〜３２までを用いてその動作を説明する。
【０１０９】
まず、手順Ａについて説明する。電子計算機０１０００は、入力手段２８０００から入力された信号を解析手段２８００２を用いて解析し、テレビ会議の起動を要求する起動（０）信号であることを認識すると、起動手段２８００３でＤＢ２８００７に保持されている図２９のテーブルを用いて、ＬＡＮ管理装置０１００３へ通知すべきアプリケーションかどうかをチェックし、  通知すべきアプリケーションでない場合には、起動（０）で示されたアプリケーションを起動し、通知すべきアプリケーションの場合には、Ｈ．３２３のコマンドフォーマットに従いＲＡＳのＡＲＱを作成し、送信手段２８００６を用いて起動要求（１）としてＬＡＮ管理装置０１００３へ送信する。
【０１１０】
次に、ＬＡＮ管理装置０１００３は、そのコマンドを受信手段０５０００で受信し、解析手段０５００１を用いて起動要求（１）であることを認識し、起動管理手段０５００２を実行する。
【０１１１】
起動管理手段０５００２は、ＤＢ０５００８に格納されている情報を用いて、Ｈ．２２５で定義されている認証、アドレス解決などのチェックを行い、成功の場合には、さらに、図３０のテーブルを用いて受信コマンド内の送信元ＩＰアドレスをキーにして、ＡＴＭ帯域情報３０００１、ＩＤ３０００２を求める。
【０１１２】
そして、図１１に示すフォーマットに従い、要求種別１１０００へＳＶＣ設定要求、付加情報１１００１へ図３０より求めたＡＴＭ帯域情報３０００１、ＩＤ３０００２を設定し、ＳＶＣ設定要求を作成し、送信手段０５００７を用いてＡＴＭ管理装置０１００５宛に送信する。
【０１１３】
ＡＴＭ管理装置０１００５は、そのコマンドを受信手段０６０００で受信し、解析手段０６００１によりＳＶＣ設定要求（２）であることを解析し、交換機制御手段０６００２を用い、ＤＢ０６００６に格納されているＡＴＭ交換機０１００４とテレビ会議を実行する対向ＬＡＮ０１０１５を収容するＡＴＭ交換機０１０１４の状態を図３１の（ａ）、（ｂ）、（ｃ）で、障害の有無３１００１が「なし」、ＡＴＭ専用線の残余帯域３１００５が「０」でないことを確認し、使用有無３１００８が「未使用」のＶＰＩ値、ＶＣＩ値のＶＣコネクション情報３１００７を獲得する。そして、ＬＡＮ管理装置０１００３から受信したＳＶＣ設定要求（２）の付加情報１１００１にさらに獲得した未使用のＶＰＩ値、ＶＣＩ値を設定したＳＶＣ設定要求（３）を作成しＡＴＭ交換機０１００４宛に送信手段０６００５を用いて送信する。
【０１１４】
ＡＴＭ交換機０１００４は、そのコマンドを受信手段０７０００で受信し、解析手段０７００１によりＳＶＣ設定要求（３）であることを解析し、ＡＴＭ呼制御手段０７００３でＵＮＩ／ＮＮＩ用の
シグナリングコマンドを作成し、送信手段０７００６を用いてＡＴＭ交換機０１０１４とシグナリングを行う。
【０１１５】
その結果が成功したならば、ＡＴＭ呼制御手段０７００３は、ＳＶＣ設定要求（３）のＶＣコネクション情報（ＶＰＩ値、ＶＣＩ値）、ＡＴＭ帯域情報を図３２に示したＤＢ０７００７のコネクション情報３２０００、ＡＴＭ帯域情報３２００２へ格納し、シグナリング手順で決定した対向側のＶＰＩ値、ＶＣＩ値を対向コネクション情報３２００１に格納し、さらにルーチング手段０７００５でルーチング用の設定を行い、ＳＶＣ設定要求（３）の要求種別１１０００をＳＶＣ設定応答（成功）に変更し、付加情報１１００１へは対向ＶＰＩ値、ＶＣＩ値を追加しＳＶＣ設定応答（４）を作成し、送信手段０７００６を用いてＡＴＭ管理装置０１００５宛へ送信する。
【０１１６】
ＡＴＭ管理装置０１００５は、その応答コマンドを受信手段０６０００で受信し、解析手段０６００１によりＳＶＣ設定応答（４）であることを解析し、交換機制御手段０６００２を用いて、ＳＶＣ設定応答（４）内の各情報をＤＢ０６００６の図３１（ｄ）の３１００９〜３１０１４へ設定する。
また、図３１（ｃ）で該当のＶＰＩ値、ＶＣＩ値の使用有／無３１００８を使用に変更し、ＳＶＣ設定応答（４）の付加情報１１００１から対向ＶＰＩ値、ＶＣＩ値だけを削除し、ＳＶＣ設定応答（５）として送信手段０６００５を用いて、ＬＡＮ管理装置０１００３宛に送信する。
【０１１７】
ＬＡＮ管理装置０１００３は、その応答コマンドを受信手段０５０００で受信し、解析手段０５００１によりＳＶＣ設定応答（５）であることを解析し、ＡＴＭ呼要求手段０５００３を用いて、Ｈ．３２３の定義によりＨ．２２５のＡＣＦ相当の起動応答（６）を作成し、送信手段０５００７を用いて、電子計算機０１０００宛に送信する。
【０１１８】
電子計算機０１０００は、その応答コマンドを受信手段２８００１で受信し、解析手段２８００２により起動応答（６）であることを認識し、呼制御手段２８００４を用いて、手順Ｂを行う。
【０１１９】
手順Ｂから手順Ｆは、Ｈ．３２３で定義されたＬＡＮ管理装置０１００３を介して行うＱ．９３１に従った処理シーケンスと同様にＨ．２４５制御チャネルを獲得しており、電子計算機０１０００、０１０１０は受信手段２８００１、解析手段２８００２、呼制御手段２８００４、送信手段２８００６、ＬＡＮ管理装置０１００３、０１０１３は受信手段０５０００、解析手段０５００１、呼制御管理手段０５００４、送信手段０５００７を用いて行う。また、これらの処理において、Ｈ．３２３で定義された一連のシーケンスで獲得される情報は、各装置のＤＢに保持する。
【０１２０】
手順Ｇでは、Ｈ．３２３で定義されたＬＡＮ管理装置０１００３を介して行うＨ．２４５に従った端末能力交換の処理シーケンスと同様であり、データストリームの送受信に必要なＴＣＰ／ＩＰ上の論理ポート番号を獲得し、開設しており、電子計算機０１０００、０１０１０は受信手段２８００１、解析手段２８００２、端末制御手段２８００５、送信手段２８００６、ＬＡＮ管理装置０１００３、０１０１３は受信手段０５０００、解析手段０５００１、端末制御管理手段０５００４、送信手段０５００７を用いて行う。また、手順Ｇで獲得される情報は、各装置のＤＢに保持する。
【０１２１】
手順Ｈについて説明する。手順Ｈは、手順Ｇで獲得した論理ポート番号と手順Ａで決定したＶＣコネクションをＡＴＭ交換機０１００４、０１０１０へ通知するために行う処理であり、ＬＡＮ管理装置０１００３が受信手段０５０００、解析手段０５００１、ポート通知手段０５００６、送信手段０５００７を用いて行う。
【０１２２】
まず、ＬＡＮ管理装置０１００３は、手順Ｇにより獲得した論理ポート番号をポート通知手段０５００６を用いて、ＡＴＭ管理装置０１００５へ通知するために、図１１の要求種別１１０００へ「論理ポート設定要求」、付加情報１１００１へ手順Ｇで獲得したＬＡＮ０１００６側電子計算機０１０００、ＬＡＮ０１０１５側電子計算機０１０１０の論理ポート番号および手順Ａで使用したＩＤを設定し、論理ポート設定要求（５２）を作成し、送信手段０５００７を用いて、ＡＴＭ管理装置０１００５宛に送信する。また、論理ポート番号はＤＢ０５００８に他のＨ．３２３情報とともに保持しておく。
【０１２３】
次に、ＡＴＭ管理装置０１００５は、受信手段０６０００で受信されたコマンドを解析手段０６００１を用いて論理ポート設定要求（５２）と認識すると、ポート設定手段０６００４を用いて、コマンド内のＩＤ、論理ポート番号を抽出し、ＤＢ０６００６内に格納された図３１（ｄ）テーブルの手順Ａで設定したＩＤに一致する論理ポート３１０１３へ設定し、さらに、受信コマンドの付加情報にＩＤに一致するＶＰＩ値、ＶＣＩ値３１００９を設定し論理ポート設定要求（５３）として、送信手段０６００５を用いてＡＴＭ交換機０１００４宛に送信する。
【０１２４】
ＡＴＭ交換機０１００４は、受信手段０７０００で受信したコマンドを解析手段０７００１で論理ポート設定要求（５３）であると認識すると、ポート設定手段０７００４を起動し、ＤＢ０７００７に格納された図３２のテーブルで手順Ａで設定したＩＤに一致する論理ポート番号３２００４にコマンド内の論理ポート番号を格納する。そして、ポート設定手段論理０７００４はポート設定要求（５３）の要求種別１１０００に論理ポート設定応答（成功）を設定し論理ポート設定応答（５４）を作成し、送信手段０７００６でＡＴＭ管理装置０１００５宛に送信する。
【０１２５】
ＡＴＭ管理装置０１００５は、その応答コマンドを受信手段０６０００で受信し、解析手段０６００１で論理ポート設定応答（５４）であると認識すると、論理ポート設定要求（５２）と同内容のメッセージを論理ポート設定要求（５５）としてＡＴＭ交換機０１０１４へ送信する。
【０１２６】
ＡＴＭ交換機０１０１４の論理ポート設定要求（５５）から論理ポート設定応答（５６）までの処理動作は、論理ポート設定要求（５３）、応答（５４）のＡＴＭ交換機０１００４と同じである。
【０１２７】
ＡＴＭ管理装置０１００５は、ＡＴＭ交換機０１０１４は論理ポート設定応答（５６）を受信手段０６０００を用いて受信し、解析手段０６００１で論理ポート設定応答（５６）であると解析すると、ポート設定手段０６００４を起動し、論理ポート設定応答（５６）からＶＰＩ値、ＶＣＩ値を削除し論理ポート設定応答（５７）としてＬＡＮ管理装置０１００３宛に送信手段０６００５を用いて送信する。
【０１２８】
図１３の手順Ａから手順Ｈにより、テレビ会議専用のＳＶＣが設定された。図１３の起動（０）で起動されたテレビ会議システムのデータストリームだけがＬＡＮ０１００６とＬＡＮ０１０１５の間のＡＰＬ接続ＳＶＣ上で通信される。送信側のＡＴＭ交換機０１００４または０１０１４は、ルーチング手段０７００５によりEthernet経由で入力されるデータストリームの論理ポート番号から、図３２のコネクション情報３２０００を求め、データをＡＴＭセル用に分割し、宛先となるＶＰＩ値、ＶＣＩ値を付加し、ＡＴＭセル化し対向へルーチングする。また、対向となるＡＴＭ交換機０１００４または０１０１４はその逆処理を行う。
【０１２９】
また、図１３の手順Ａ終了とともに、ＡＴＭ交換機０１００４および０１０１４は、初期化時から定期的に情報収集手段０７００２を用いて、自装置状態、ＡＴＭ専用線０１００７の情報をＤＢ０７００７へ格納し、ＡＴＭ管理装置０１００５へ通知していたのに加え、ＡＰＬ接続ＳＶＣの状態も加える。ＡＴＭ管理装置０１００５への通知には、ＡＴＭ管理装置０１００５宛に図１１に示すコマンドフォーマットの要求種別１１０００に状態通知、付加情報１１００１にその収集情報を設定し、送信手段０７００６を用いて通知する。
【０１３０】
ＡＴＭ管理装置０１００５は、受信手段０６０００を用いてそのコマンドを受信し、解析手段０６００１を用いて解析し、監視制御手段０６００３を用いて、ＤＢ０６００６に設定し、ＡＰＬ接続ＳＶＣ、ＡＴＭ交換機０１００４、または、０１０１４に状態が変化していないかチェックし、状態が変化している場合には、受信したコマンドを送信手段０６００５を用いて、ＬＡＮ管理装置０１００３または０１０１３へ送信する。
【０１３１】
ＬＡＮ管理装置０１００３または０１０１３は、そのコマンドを受信手段０５０００で受信し、解析手段０５００１で解析し、障害が発生し、ＡＰＬ接続ＳＶＣの通信に影響がありそうな場合は、手順Ａのコマンド（２）〜（５）のようにＡＴＭ管理装置０１００５宛に図１１のコマンドフォーマットを用いて、ＡＴＭ専用線０１００７上の他のＶＣコネクションの帯域などを変更する要求を行い、なるべくＡＰＬ接続ＳＶＣに影響が発生しないようにする。また、障害復旧の場合にも、前述と同様に、障害前の状態に戻す処理を行えるものとする。
【０１３２】
図１４は、図１３の手順により設定されたＡＰＬ接続ＳＶＣを削除するための正常系シーケンス図であり、それについて、図１、５〜７、１１、２８〜３２を用いてその動作を説明する。
【０１３３】
手順Ｉは、電子計算機０１０００が入力手段２８０００から入力された終了（０）をトリガにして起こるＨ．３２３で定義された一連シーケンスであり、論理チャネルおよびＨ．２４５制御チャネルを閉じる手順である。これらの処理で不要となったＨ．３２３の情報は各装置のＤＢより削除する。
【０１３４】
手順Ｊは、Ｈ．３２３で定義されたシーケンスの拡張である。
まず、電子計算機０１０００の起動手段０２００３は、終了（０）により入力されたアプリケーションをＤＢ２８００７に格納された図２９のテーブルのアプリケーション種別２９０００から検索し、通知有無２９００１が通知の場合には、Ｈ．３２３で定義されるＨ．２２５のＤＲＱ相当の終了処理要求（４）を作成し、ＬＡＮ管理装置０１００３宛に送信手段２８００６を用いて送信する。
【０１３５】
次に、ＬＡＮ管理装置０１００３は、受信手段０５０００を用いて受信し、解析手段０５００１で終了処理要求（４）であると認識し、起動管理手段０５００２で送信元のＩＰアドレスを求め、図３０の該当ＩＰアドレスに対応するＩＤを獲得する。そして、ＡＴＭ管理装置０１０１５宛に図１１のフォーマットの要求種別１１０００にＳＶＣ解放要求、付加情報１１００１にＩＤ、図１３の手順Ｈで保持した論理ポート番号を設定しＳＶＣ解放要求（５）を作成し、送信手段０５００７を用いて送信する。
【０１３６】
ＡＴＭ管理装置０１００５は、そのコマンドを受信手段０６０００で受信し、解析手段０６００１で解析しＳＶＣ解放要求（５）であることを認識したら、交換機制御手段０６００２により図１３の処理シーケンスで設定しまだ残っている情報をすべてＤＢ０６００６から削除する。また、交換機制御手段０６００２を用いてＡＴＭ交換機０１００４へ受信コマンドをそのままＳＶＣ解放要求（６）として送信手段０６００５を用いて送信する。
【０１３７】
ＡＴＭ交換機０１００４は、そのコマンドを受信手段０７０００で受信し、解析手段０７００１で解析しＳＶＣ解放要求（６）であることを認識したら、ルーチング手段０７００５により図１３の処理シーケンスで設定しまだ残っている情報をすべてＤＢ０７００７から削除する。次に、ＡＴＭ呼制御手段０７００３はＵＮＩ／ＮＮＩで定義されたＳＶＣ解放処理を行い、ＡＴＭ交換機０１０１４側へＳＶＣ解放要求を行い該当ＳＶＣに関する対向の情報も削除する。そして、図１１のコマンドフォーマットの要求種別１１０００にＳＶＣ解放応答（成功）を設定し、付加情報１１００１に受信コマンドと同じ付加情報を設定しＳＶＣ解放応答（７）を作成し、送信手段０７００６を用いてＡＴＭ管理装置０１００５へ送信する。
【０１３８】
ＡＴＭ管理装置０１００５は、ＡＴＭ交換機０１００４の応答コマンドを受信手段０６０００を用いて受信し、解析手段０６００１で解析しＳＶＣ解放応答（７）ならば、そのままＬＡＮ管理装置０１００３宛にＳＶＣ解放応答（８）として送信手段０６００５を用いて送信する。
【０１３９】
ＬＡＮ管理装置０１００３が、そのコマンドを受信手段０５０００を用いて受信し、解析手段０５００１で解析しＳＶＣ解放応答（８）ならば、確保しておいた論理ポート番号とＨ．３２３に関する他の情報をＤＢ０５００８から削除し、Ｈ．３２３の定義に従いＨ.２２５のＤＣＦ相当の終了処理応答（９）を作成し、送信手段０５００７を用いて電子計算機０１０００宛に送信する。
【０１４０】
さらに、電子計算機０１０１０は図１３のシーケンスで設定した情報を削除するために、図１４の終了処理要求（４）および（９）と同様に、（１０）および（１１）を行う。  図１４の手順Ｉ、Ｊにより、ＡＴＭ専用線０１００７に収容されていたテレビ会議専用のＡＰＬ接続ＳＶＣは削除された。
【０１４１】
以上のように、本実施の形態では、Ｈ．３２３で管理されているＬＡＮ間のデータ通信において、
ＬＡＮ管理装置０１００３、０１０１３がＡＴＭ呼要求手段０５００３と図１１のコマンドにより、ＡＴＭ専用線０１００７上のＡＴＭコネクションの各種設定変更依頼をＡＴＭ管理装置０１００５へ行うことが可能となる。
【０１４２】
なお、図１３、図１４ともに正常系のシーケンスであるが、Ｈ．３２３で定義された異常系シーケンスおよび図１４の（５）から（８）を適宜組み合わせて使用し、各装置が異常発生したシーケンスの前の状態に戻れるように処理することで異常系シーケンスは実現できることが容易に類推できる。
【０１４３】
なお、本実施の形態では、電子計算機が対向で１対としているが、複数ある場合には、図１を構成する各装置のＤＢに対し、必要に応じて端末種別とＤＢ内のテーブル情報のマッチングをとるテーブルなどを設けることにより、帯域制御システムは実現できる。
【０１４４】
なお、ＬＡＮ管理装置０１００３、０１０１３、ＡＴＭ交換機０１０００４、０１００１４、ＡＴＭ管理装置０１００５の各間は、独自コマンドとして説明したが、ＳＮＭＰ相当のプロトコルで通信しても同じ効果が得られる。
【０１４５】
なお、帯域を確実に保証したいアプリケーションごとにＡＰＬ接続ＳＶＣを設定せずに、図１５に示すように、ＬＡＮ間接続ＰＶＣの保証帯域を完全に保証できる状態まで増加させても同じ効果が得られ、つまり、その場合には、図１３の手順Ａのかわりに図１６の手順Ａを実行し、保証帯域を増加させ、図１４の手順Ｊのかわりに図１７の手順Ｊを用いてアプリケーション起動前の保証帯域に戻す。
【０１４６】
なお、帯域を確実に保証したいアプリケーションごとにＡＰＬ接続ＳＶＣを設定せずに、図１８に示すように、帯域制御システムが起動されると同時に、ＬＡＮ間接続のＰＶＣとアプリケーション接続ＰＶＣ（以下、ＡＰＬ接続ＰＶＣ）を設定し、帯域を確実に保証したいアプリケーションのデータをＡＰＬ接続ＰＶＣで通信することで同じ効果が得られ、つまり、その場合には、図１３の手順Ａのかわりに図１９の手順Ａを用いてＡＰＬ接続用ＰＶＣに空き帯域があるかどうかチェックし、図１４の手順Ｊのかわりに図２０の手順Ｊを行う。
【０１４７】
なお、ＬＡＮ管理装置０１００３、０１０１３で保持するＡＰＬ接続用ＳＶＣのトラヒッククラスなどの帯域情報は、帯域制御システム構築時にネットワーク設計者によりあらかじめ設定され、システム起動時に有効になるように設定されるため、ユーザはＡＴＭ側の帯域情報を全く意識する必要はない。
【０１４８】
【発明の効果】
以上のように、本発明によれば、Ｈ．３２３などのデータ通信規格で管理されているＬＡＮとＬＡＮの間のデータ通信において、データ廃棄および伝送遅延に弱いアプリケーションに対し、優先的に帯域を確保しＱｏＳを高めることが可能となる。
【図面の簡単な説明】
【図１】  本発明の各実施形態において用いられる帯域制御システムのブロック構成図
【図２】  本発明の第１の実施形態における電子計算機の機能ブロック図
【図３】  本発明のＲＡＳ拡張メッセージ
【図４】  本発明のＱ．９３１メッセージ
【図５】  本発明の第１の実施形態におけるＬＡＮ管理装置の機能ブロック図
【図６】  本発明の第１の実施形態におけるＡＴＭ管理装置の機能ブロック図
【図７】  本発明の第１の実施形態におけるＡＴＭ交換機の機能ブロック図
【図８】  本発明の第１の実施形態における電子計算機で保持するテーブル
【図９】  本発明の第１の実施形態におけるＬＡＮ管理装置で保持するテーブル
【図１０】  本発明の第１の実施形態におけるＡＴＭ管理装置で保持するテーブル
【図１１】  本発明のメッセージ
【図１２】  本発明の第１の実施形態におけるＡＴＭ交換機で保持するテーブル
【図１３】  本発明の第１の実施形態におけるＡＰＬ接続ＳＶＣ設定シーケンス
【図１４】  本発明の第１の実施形態におけるＡＰＬ接続ＳＶＣ解放シーケンス
【図１５】  本発明の第１の実施形態における帯域制御システムの構成図（２）
【図１６】  本発明の第１の実施形態におけるＬＡＮ接続ＰＶＣの帯域確保設定のシーケンス
【図１７】  本発明の第１の実施形態におけるＬＡＮ接続ＰＶＣの帯域解放設定のシーケンス
【図１８】  本発明の第１の実施形態における帯域制御システムの構成図（３）
【図１９】  本発明の第１の実施形態におけるＡＰＬ接続ＰＶＣの帯域問い合わせのシーケンス
【図２０】  本発明の第１の実施形態におけるＡＰＬ接続ＰＶＣの論理ポート解放のシーケンス
【図２１】  本発明の第２の実施形態における電子計算機の機能ブロック図
【図２２】  本発明の第２の実施形態におけるＬＡＮ管理装置の機能ブロック図
【図２３】  本発明の第２の実施形態におけるＬＡＮ管理装置で保持するテーブル
【図２４】  本発明の第２の実施形態におけるＬＡＮ管理装置で保持するテーブル
【図２５】  本発明の第２の実施形態におけるＡＴＭ管理装置で保持するテーブル図
【図２６】  本発明の第２の実施形態における起動時のシーケンス図
【図２７】  本発明の第２の実施形態における予約中止時のシーケンス図
【図２８】  本発明の第３の実施形態における電子計算機の機能ブロック図
【図２９】  本発明の第３の実施形態における電子計算機で保持するテーブル
【図３０】  本発明の第３の実施形態におけるＬＡＮ管理装置で保持するテーブル
【図３１】  本発明の第３の実施形態におけるＡＴＭ管理装置で保持するテーブル
【図３２】  本発明の第３の実施形態におけるＡＴＭ交換機で保持するテーブル
【図３３】  従来における帯域制御システムの構成図
【図１】
0003652935.tif 000002
【図２】
0003652935.tif 000003
【図３】
0003652935.tif 000004
【図４】
0003652935.tif 000005
【図５】
0003652935.tif 000006
【図６】
0003652935.tif 000007
【図７】
0003652935.tif 000008
【図８】
0003652935.tif 000009
【図９】
0003652935.tif 000010
【図１０】
0003652935.tif 000011
【図１１】
0003652935.tif 000012
【図１２】
0003652935.tif 000013
【図１３】
0003652935.tif 000014
【図１４】
0003652935.tif 000015
【図１５】
0003652935.tif 000016
【図１６】
0003652935.tif 000017
【図１７】
0003652935.tif 000018
【図１８】
0003652935.tif 000019
【図１９】
0003652935.tif 000020
【図２０】
0003652935.tif 000021
【図２１】
0003652935.tif 000022
【図２２】
0003652935.tif 000023
【図２３】
0003652935.tif 000024
【図２４】
0003652935.tif 000025
【図２５】
0003652935.tif 000026
【図２６】
0003652935.tif 000027
【図２７】
0003652935.tif 000028
【図２８】
0003652935.tif 000029
【図２９】
0003652935.tif 000030
【図３０】
0003652935.tif 000031
【図３１】
0003652935.tif 000032
【図３２】
0003652935.tif 000033
【図３３】
0003652935.tif 000034